(57)【特許請求の範囲】
【請求項１】
通信システムと、
エンティティに関係する移動通信装置により実行可能なコンピュータプログラムであって、前記移動通信装置は、
前記エンティティが制限された区域の入口点に近づくときに、前記通信システムから１つ又は複数の入場信号を受信し、
前記１つ又は複数の入場信号の受信信号強度を決定し、
１つ又は複数の入場基準が、入場要求を作成し且つ転送するために前記１つ又は複数の入場信号の前記受信信号強度に基づいて満足されているかを決定し、
前記１つ又は複数の入場基準が満足されていることを受けて、前記通信システムへ、前記入場要求を作成し且つ転送し、
前記通信システムから、出入制御システムにより前記制限された区域に入るための出入りを承認されている前記エンティティを示している認可データを受信し、
前記エンティティが前記制限された区域の出口点に近づくときに、前記通信システムから１つ又は複数の退出信号を受信し、
前記１つ又は複数の退出信号の受信信号強度を決定し、
１つ又は複数の退出基準が、退出要求を作成し且つ転送するために前記１つ又は複数の退出信号の前記受信信号強度に基づいて満足されているかを決定し、
前記１つ又は複数の退出基準が満足されていることを受けて、前記通信システムへ、前記制限された区域を出るために前記認可データを示している前記退出要求を作成し且つ転送する
ように構成される、コンピュータプログラムと
を含む、システム。
【請求項２】
前記通信システムが、
焦点を当てた入場信号送信領域を規定するための第１の指向性アンテナを含んでいる第１の入口通信装置であって、前記移動通信装置は、前記１つ又は複数の入場信号のうちの少なくともいくつかが前記焦点を当てた入場信号送信領域を示している前記１つ又は複数の入場基準を満足していることを決定することに応じて前記入場要求を作成し且つ転送するように構成される、第１の入口通信装置と、
焦点を当てた退出信号送信領域を規定するための第２の指向性アンテナを含んでいる第１の出口通信装置であって、前記移動通信装置は、前記１つ又は複数の退出信号のうちの少なくともいくつかが前記焦点を当てた退出信号送信領域を示している前記１つ又は複数の退出基準を満足していることを決定することに応じて前記退出要求を作成し且つ転送するように構成される、第１の出口通信装置と
のうちの少なくとも１つを含む、請求項１に記載のシステム。
【請求項３】
前記第１の入口通信装置及び前記第１の出口通信装置のうちの少なくとも１つの前記指向性アンテナがパラボラアンテナである、請求項２に記載のシステム。
【請求項４】
前記システムが、サーバ処理システムと、前記出入制御システムによりアクセス可能なデータストアとを含み、
前記サーバ処理システムが、
前記エンティティに関係するキーデータを作成し、
メモリに記憶するために前記移動通信装置へ前記キーデータを転送し、
前記データストアに前記キーデータを記憶する
ように構成され、
前記移動通信装置により作成された各々の入場要求及び退出要求が、前記キーデータからのキーを示しており、前記出入制御システムの出入制御処理システムが、前記キーを使用して前記データストアに問い合わせて、前記入場要求又は前記退出要求の有効性を検証する、
請求項１〜３のいずれか一項に記載のシステム。
【請求項５】
前記入場要求及び前記退出要求のうちの少なくとも１つが、エンティティアイデンティティ及びハッシュ化されたエンティティアイデンティティを示しており、前記出入制御システムが前記データストア及び前記移動通信装置に関する装置特有の情報に基づいて前記入場要求及び前記退出要求の前記有効性を検証することを可能にする、請求項４に記載のシステム。
【請求項６】
前記１つ又は複数の入場信号を受信する前に、前記移動通信装置は、
位置受信機を使用して前記制限された区域に対して規定されている領域横断イベントを検出し、
前記コンピュータプログラムがロードされていない場合には、前記領域横断イベントを検出することに応じて前記コンピュータプログラムを起動する
ように構成される、請求項１〜５のいずれか一項に記載のシステム。
【請求項７】
前記制限された区域は、
車両駐車区域であって、前記エンティティが前記車両駐車区域内に駐車するため車両に関係する利用者である、車両駐車区域と、
ビルディングの一部分であって、前記エンティティが前記ビルディングの前記一部分に出入りしようとしている利用者である、ビルディングの一部分と
のうちの１つである、請求項１〜６のいずれか一項に記載のシステム。
【請求項８】
前記移動通信装置により作成された前記入場要求及び前記退出要求のうちの少なくとも１つは、前記移動通信装置が現在接続されている１つ又は複数の無線装置を示しており、  前記通信システムが多数の移動通信装置から受信された複数の実質的に同時の入場要求又は退出要求を示しているデータを受信するという場合には、前記入場要求又は前記退出要求のうちの少なくとも１つにより示されている前記１つ又は複数の接続されている無線装置が、前記複数の実質的に同時の入場要求又は退出要求からどの入場要求又は退出要求を処理するかを少なくとも部分的に決定するために使用される、請求項１〜７のいずれか一項に記載のシステム。
【請求項９】
前記通信システムが、
第１の入口送信機及び第２の入口送信機を含んでいる入口送信機のセットであって、各々が入口通路の中心に対して位置的にオフセットしており且つ前記入口通路の対向する側に設置されている、入口送信機のセットと、
第１の出口送信機及び第２の出口送信機を含んでいる出口送信機のセットであって、各々が出口通路の中心に対して位置的にオフセットしており且つ前記出口通路の対向する側に設置されている、出口送信機のセットと
のうちの少なくとも１つを含み、
前記移動通信装置により作成された前記入場要求及び前記退出要求のうちの少なくとも１つが、入口送信機又は出口送信機の前記セットにより作成された前記１つ若しくは複数の入場信号又は前記１つ若しくは複数の退出信号の前記受信信号強度に基づいて車両内の前記移動通信装置の相対的な位置を示しており、前記通信システムが多数の移動通信装置から複数の実質的に同時の入場要求又は退出要求を受信するという場合には、前記相対的な位置が、前記複数の実質的に同時の入場要求又は退出要求からどの入場要求又は退出要求を処理するかを少なくとも部分的に決定するために使用される、
請求項１〜８のいずれか一項に記載のシステム。
【請求項１０】
前記通信システムが、
１つ又は複数のさらなる入場信号を送信するように構成されている入口送信機と、
１つ又は複数のさらなる退出信号を送信するように構成されている出口送信機と
のうちの少なくとも１つを含み、
前記移動通信装置が、
受信したさらなる入場信号又は退出信号のピークパワーに基づいて尺度値を決定し、
前記１つ又は複数の受信した入場信号又は退出信号の１つ又は複数のスケーリングしたパワー値を決定する
ように前記コンピュータプログラムにより構成され、
前記１つ又は複数の入場基準又は退出基準が、増加率しきい値に等しい又は超える前記１つ又は複数の受信した入場信号又は退出信号のうちの少なくともいくつかの１つ又は複数のスケーリングしたパワー値の増加率を示している、
請求項３に記載のシステム。
【請求項１１】
前記移動通信装置が、利用者対話なしに前記入場要求及び前記退出要求のうちの少なくとも１つを自動的に転送するように構成される、請求項１〜１０のいずれか一項に記載のシステム。
【請求項１２】
サーバ処理システムをさらに含み、
前記サーバ処理システムは、前記移動通信装置に、前記入場基準及び前記退出基準を示すデータを含む構成データを転送するように構成される、
請求項１〜１１のいずれか一項に記載のシステム。
【請求項１３】
前記移動通信装置は、前記入場要求または退出要求を転送するときに、前記通信システムとの通信セッションを生成するように構成され、
前記通信システムは、１つの時に１つの通信セッションだけを行うように構成される、
請求項１〜１２のいずれか一項に記載のシステム。
【請求項１４】
移動通信装置により実行可能なコンピュータプログラムであって、前記コンピュータプログラムは、前記移動通信装置を、
利用者が制限された区域の入口点に近づくときに通信システムから１つ又は複数の入場信号を受信し、
前記１つ又は複数の入場信号の受信信号強度を決定し、
１つ又は複数の入場基準が、入場要求を作成し且つ転送するために前記１つ又は複数の入場信号の前記受信信号強度に基づいて満足されているかを決定し、
前記１つ又は複数の入場基準が満足されていることを受けて、前記通信システムへ、前記１つ又は複数の入場信号を受信した後で前記入場要求を作成し且つ転送し、
前記通信システムから、出入制御システムにより前記制限された区域へ入るための出入りを承認されている前記利用者を示している認可データを受信し、
前記利用者が前記制限された区域の出口点に近づくときに前記通信システムから１つ又は複数の退出信号を受信し、
前記１つ又は複数の退出信号の受信信号強度を決定し、
１つ又は複数の退出基準が、退出要求を作成し且つ転送するために前記１つ又は複数の退出信号の前記受信信号強度に基づいて満足されているかを決定し、
前記１つ又は複数の退出基準が満足されていることを受けて、前記通信システムへ、前記１つ又は複数の退出信号を受信した後で、前記利用者が前記制限された区域を出ることを可能にするために前記出入制御システムによる処理のため前記認可データを示している前記退出要求を作成し且つ転送する
ように構成する、コンピュータプログラム。
【請求項１５】
エンティティに関係する移動通信装置により実行される方法であって、
前記エンティティが制限された区域の入口点に近づくときに、通信システムから１つ又は複数の入場信号を受信するステップと、
前記１つ又は複数の入場信号の受信信号強度を決定するステップと、
１つ又は複数の入場基準が、入場要求を作成し且つ転送するために前記１つ又は複数の入場信号の前記受信信号強度に基づいて満足されているかを決定するステップと、
前記１つ又は複数の入場基準が満足されていることを受けて、前記通信システムへ、前記入場要求を作成し且つ転送するステップと、
前記通信システムから、出入制御システムにより前記制限された区域に入るための出入りを承認されている前記エンティティを示している認可データを受信するステップと、
前記エンティティが前記制限された区域の出口点に近づくときに、前記通信システムから１つ又は複数の退出信号を受信するステップと、
前記１つ又は複数の退出信号の受信信号強度を決定するステップと、
１つ又は複数の退出基準が、退出要求を作成し且つ転送するために前記１つ又は複数の退出信号の前記受信信号強度に基づいて満足されているかを決定するステップと、
前記１つ又は複数の退出基準が満足されていることを受けて、前記通信システムへ、前記制限された区域を出るために前記認可データを示している前記退出要求を作成し且つ転送するするステップと、
を有する方法。
【発明の詳細な説明】
【技術分野】
【０００１】
[0002]本発明は、制限された区域への出入りを制御するための出入制御システムに関するシステム、方法、移動通信装置及び１つ又は複数のコンピュータプログラムに関する。１つの例示的な形態では、出入制御システムは、車両駐車区域への出入りを制御する。
【関連出願の相互参照】
【０００２】
[0001]本出願は、２０１５年２月２日に両方とも提出されたオーストラリア仮特許出願第２０１５９００３０２号及びオーストラリア革新特許出願第２０１５１００１１２号の優先権を主張し、その内容は、引用により本明細書中に取り込まれている。
【背景技術】
【０００３】
[0003]車両の運転者が駐車場に自身の車両を駐車しようと望むときには、物理的なチケットが、駐車場への出入りを承認されると入口点のところで運転者に発行される。運転者は、車両が駐車場に駐車していた時間に対しての支払いをするために支払機にチケットをそのときには提示できる。チケットは、次に、駐車場から去ることを認められるように出口点のところのもう１つのチケット機に提示されることがある。このようなチケットシステムは、数多くの問題を有する。例えば、特定の車両及び駐車場の設計の理由で、何人かの運転者は、入口点のチケット機からチケットを取ること又は車両を出ずに出口点のところのチケット読取り機で読み取るためにチケットを挿入することが困難であることを見つけている。一般に、運転者は、駐車場内を運転している間にチケットを持とうと／見つけようとすることがあり、これが運転者の気を散らすことがあり事故を起こすことがある。さらに、運転者によってチケットが紛失される場合には、運転者は、駐車場を出るために全料金を支払うことを一般に要求される。加えて、混雑した駐車場で、それぞれの駐車に対して支払うために支払機のところで運転者の長い待ち行列があることがある。さらに、混雑した駐車場で、チケットを取っている及び挿入している運転者により費やされる時間のためにチケット発券機及び読取り機のところに著しい待ち行列があることがある。
【０００４】
[0004]他の問題は、人が出入制御システムを使用して制限された区域に出入りしようと望む他の用途に対して存在する。
【０００５】
[0005]例えば、住居用／商業用ビルディングは、ゲート、シャッター（ｒｏｌｌｅｒ  ｄｏｏｒ）等を開けるために手動無線送信機又は非接触式カードを使用することにより作動させることができる住居駐車用の出入制御システムを有することがある。何人かの運転者が、出入プロセスをスピードアップさせるために運転中にゲート／ドアに近づく前に無線送信機又は非接触式カードを置こうとする傾向があるので、運転者は気を散らすようになる傾向があり、これが事故につながることがある。さらに、新しい利用者が制限された駐車区域に出入りしようと望む場合には、特に出入制御システムがプロプライエタリシステムである場合には、新しい手持送信機又は非接触式カードを注文される必要があることがある。
【０００６】
[0006]ビルディング出入制御システムに関連して、利用者は、非接触式カード等の識別装置を持ち歩くことを要求されることがあり、識別装置が、出入制御されたドア等を開けるために読取り装置により読み取られることがある。しかしながら、多数の利用者は、いくつかの場合には読み取るために取り外さなければならないバッグ又は財布に自身の識別装置を保管する傾向がある。これは、利用者にとっていらいらさせ時間を無駄にさせることがある。加えて、利用者がこのような出入制御されたドアを通り移動するときに多数の品目を持ち運ぶ傾向があるので、他の目的のない専用装置が制限された区域に出入りしようとするときに利用者とともに持ち運ばれる必要があることはいらいらさせる。
【０００７】
[0007]したがって、上述の問題のうちの１つ若しくは複数を楽にさせる又は市販の代替物を提供する必要がある。
【０００８】
[0008]いずれかの先行する出版物（若しくはこれから導かれる情報）又は知られているいずれかの事柄に対するこの明細書における言及は、確認又は許可、或いは、先行する出版物（若しくはこれから導かれる情報）又は知られている事柄が、この明細書が関係する努力の分野において普通の一般常識の一部を形成するという示唆の任意の形態ではなく、これらとして考えられるべきではない。
【発明の概要】
【０００９】
[0009]１つの態様では、
通信システムと、
エンティティに関係する移動通信装置により実行可能なコンピュータプログラムであって、上記移動通信装置は、
上記エンティティが制限された区域の入口点に近づくときに上記通信システムから１つ又は複数の入場信号を受信し、
上記通信システムへ、上記１つ又は複数の入場信号のうちの少なくともいくつかを受信することに応じて入場要求を作成し且つ転送し、
上記通信システムから、出入制御システムにより上記制限された区域に入るための出入りを承認されている上記エンティティを示している認可データを受信し、
上記エンティティが上記制限された区域の出口点に近づくときに上記通信システムから１つ又は複数の退出信号を受信し、
上記通信システムへそして上記１つ又は複数の退出信号のうちの少なくともいくつかを受信することに応じて、上記制限された区域を出るために上記認可データを示している退出要求を作成し且つ転送する、
ように構成される、コンピュータプログラムと
を含むシステムが提供される。
【００１０】
[0010]ある種の実施形態では、上記通信システムが、
焦点を当てた入場信号送信領域を規定するための第１の指向性アンテナを含んでいる第１の入口通信装置であって、上記移動通信装置は、上記１つ又は複数の入場信号のうちの少なくともいくつかが上記焦点を当てた入場信号送信領域を示している１つ又は複数の入場基準を満足していることを決定することに応じて上記入場要求を作成し且つ転送するように構成される、第１の入口通信装置と、
焦点を当てた退出信号送信領域を規定するための第２の指向性アンテナを含んでいる第１の出口通信装置であって、上記移動通信装置は、上記１つ又は複数の退出信号のうちの少なくともいくつかが上記焦点を当てた退出信号送信領域を示している１つ又は複数の退出基準を満足していることを決定することに応じて上記退出要求を作成し且つ転送するように構成される、第１の出口通信装置と、
のうちの少なくとも１つを含む。
【００１１】
[0011]ある種の実施形態では、上記第１の入口通信装置及び上記第１の出口通信装置のうちの少なくとも１つの上記指向性アンテナがパラボラアンテナである。
【００１２】
[0012]ある種の実施形態では、上記システムが、サーバ処理システムと、上記出入制御システムによりアクセス可能なデータストアとを含み、
上記サーバ処理システムが、
上記エンティティに関係するキーデータを作成し、
メモリに記憶するために上記移動通信装置へ上記キーデータを転送し、
上記データストアに上記キーデータを記憶する、
ように構成され、
上記移動通信装置により作成された各々の入場要求及び退出要求が、上記キーデータからのキーを示しており、上記出入制御システムの出入制御処理システムが、上記キーを使用して上記データストアに問い合わせて、上記入場要求又は上記退出要求の有効性を検証する。
【００１３】
[0013]ある種の実施形態では、上記入場要求及び上記退出要求のうちの少なくとも１つが、エンティティアイデンティティ及びハッシュ化されたエンティティアイデンティティを示しており、上記出入制御システムが上記データストア及び上記移動通信装置に関する装置特有の情報に基づいて上記入場要求及び上記退出要求の上記有効性を検証する。
【００１４】
[0014]ある種の実施形態では、上記通信システムが、Ｂｌｕｅｔｏｏｔｈ（登録商標）  Ｌｏｗ  Ｅｎｅｒｇｙプロトコルを使用して上記移動通信装置と通信する。
【００１５】
[0015]ある種の実施形態では、上記移動通信装置が、
上記１つ又は複数の入場信号の受信信号強度を決定し、
上記入場要求を作成し且つ転送するために上記１つ又は複数の入場信号の上記受信信号強度に少なくとも部分的に基づいて、上記１つ又は複数の入場基準が満足されているかを決定する、
ように構成される。
【００１６】
[0016]ある種の実施形態では、上記移動通信装置が、
上記１つ又は複数の退出信号の受信信号強度を決定し、
上記１つ又は複数の退出基準が、上記退出要求を作成し且つ転送するために上記１つ又は複数の退出信号の上記受信信号強度に少なくとも部分的に基づいて満足されているかを決定する
ように構成される。
【００１７】
[0017]ある種の実施形態では、上記制限された区域は、
車両駐車区域であって、上記エンティティが上記車両駐車区域内に駐車するため車両に関係する利用者である、車両駐車区域と、
ビルディングの一部分であって、上記エンティティが上記ビルディングの上記一部分に出入りしようとしている利用者である、ビルディングの一部分と
のうちの１つである。
【００１８】
[0018]ある種の実施形態では、上記移動通信装置により作成された上記入場要求及び上記退出要求のうちの少なくとも１つは、上記移動通信装置が現在接続されている１つ又は複数の無線装置を示しており、上記通信システムが多数の移動通信装置から受信された複数の実質的に同時の入場要求又は退出要求を示しているデータを受信するという場合には、上記入場要求又は上記退出要求のうちの少なくとも１つにより示されている上記１つ又は複数の接続されている無線装置が、上記複数の実質的に同時の入場要求又は退出要求からどの入場要求又は退出要求を処理するかを少なくとも部分的に決定するために使用される。
【００１９】
[0019]ある種の実施形態では、上記通信システムが、
第１の入口送信機及び第２の入口送信機を含んでいる入口送信機のセットであって、各々が入口通路の中心に対して位置的にオフセットしている、入口送信機のセットと、
第１の出口送信機及び第２の出口送信機を含んでいる出口送信機のセットであって、各々が出口通路の中心に対して位置的にオフセットしている、出口送信機のセットと
のうちの少なくとも１つを含み、
上記移動通信装置により作成された上記入場要求及び上記退出要求のうちの少なくとも１つが、入口送信機又は出口送信機の上記セットにより作成された上記１つ若しくは複数の入場信号又は上記１つ若しくは複数の退出信号の上記受信信号強度に基づいて上記車両内の上記移動通信装置の相対的な位置を示しており、上記通信システムが多数の移動通信装置から複数の実質的に同時の入場要求又は退出要求を受信するという場合には、上記相対的な位置が、上記複数の実質的に同時の入場要求又は退出要求からどの入場要求又は退出要求を処理するかを少なくとも部分的に決定するために使用される。
【００２０】
[0020]ある種の実施形態では、上記通信システムが、
１つ又は複数のさらなる入場信号を送信するように構成されている入口送信機と、
１つ又は複数のさらなる退出信号を送信するように構成されている出口送信機と
のうちの少なくとも１つを含み、
上記移動通信装置が、
受信したさらなる入場信号又は退出信号のピークパワーに基づいて尺度値を決定し、
上記１つ又は複数の受信した入場信号又は退出信号の１つ又は複数のスケーリングしたパワー値を決定する
ように上記コンピュータプログラムにより構成され、
上記１つ又は複数の入場基準又は退出基準が、増加率しきい値に等しい又は超える上記１つ又は複数の受信した入場信号又は退出信号のうちの少なくともいくつかの１つ又は複数のスケーリングしたパワー値の増加率を示している。
【００２１】
[0021]ある種の実施形態では、上記移動通信装置が、利用者対話なしに上記入場要求及び上記退出要求のうちの少なくとも１つを自動的に転送するように構成される。
【００２２】
[0022]別の１つの態様では、移動通信装置により実行可能なコンピュータプログラムが提供され、上記コンピュータプログラムは、上記移動通信装置を、
利用者が制限された区域の入口点に近づくときに通信システムから１つ又は複数の入場信号を受信し、
上記通信システムへ、上記１つ又は複数の入場信号を受信した後で入場要求を作成し且つ転送し、
上記通信システムから、出入制御システムにより上記制限された区域へ入るための出入りを承認されている上記利用者を示している認可データを受信し、
上記利用者が上記制限された区域の出口点に近づくときに上記通信システムから１つ又は複数の退出信号を受信し、
上記通信システムへそして上記１つ又は複数の退出信号を受信した後で、上記利用者が上記制限された区域を出ることを可能にするために上記出入制御システムによる処理のため上記認可データを示している退出要求を作成し且つ転送する、
ように構成する。
【００２３】
[0023]別の１つの態様では、
制限された区域の入口点に関係する少なくとも１つの通信装置と、
エンティティに関係する移動通信装置により実行可能なコンピュータプログラムであって、上記移動通信装置は、
上記エンティティが上記制限された区域の上記入口点に近づくときに上記通信装置により作成された１つ又は複数の入場信号を受信し、
上記１つ又は複数の入場信号のうちの少なくともいくつかを受信することに応じて入場要求を作成し且つ転送する
ように構成される、コンピュータプログラムと、
上記入場要求を受信し、
上記エンティティが上記制限された区域に入ることを認められているかを決定するために上記入場要求を処理し、
上記制限された区域の出入制御アセンブリを指示することを容易にし、上記エンティティが上記制限された区域に入ることを可能にする
ように構成される、もう１つの処理システムと、
を含むシステムが提供される。
【００２４】
[0024]ある種の実施形態では、上記システムが、上記制限された区域の出口点に関係する少なくとも１つのさらなる通信装置を含み、上記移動通信装置は、
上記エンティティが上記制限された区域の上記出口点に近づくときに上記少なくとも１つのさらなる通信装置により作成された１つ又は複数の退出信号を受信し、
上記１つ又は複数の退出信号のうちの少なくともいくつかを受信することに応じて退出要求を作成し且つ転送する
ように上記コンピュータプログラムにより構成され、
上記もう１つの処理システムは、
上記退出要求を受信し、
上記退出要求を処理して、上記エンティティが上記制限された区域を出ることを認められているかを決定し、
上記制限された区域のさらなる出入制御アセンブリを指示することを容易にして、上記エンティティが上記制限された区域を出ることを可能にする
ように構成される。
【００２５】
[0025]別の１つの態様では、
第１の通信装置及び第２の通信装置を含んでいる通信システムと、
エンティティに関係する移動通信装置により実行可能なコンピュータプログラムであって、上記移動通信装置は、
制限された区域の出入点に関係する第１の通信装置から１つ又は複数の第１の信号を受信し、
上記制限された区域の上記出入点に関係する第２の通信装置から１つ又は複数の第２の信号を受信し、
出入要求を作成し且つ転送して、上記１つ又は複数の第１の信号の受信信号強度及び上記１つ又は複数の第２の信号の受信信号強度に少なくとも部分的に基づいて１つ又は複数の基準が満足されているという場合には、出入制御システムが上記制限された区域への出入りを承認することを可能にする、
ように構成される、コンピュータプログラムと、
を含むシステムが提供される。
【００２６】
[0026]ある種の実施形態では、上記移動通信装置が、
複数の第１の信号の受信信号強度に基づいて複数の第１のパワー値を決定し、
上記複数の第１のパワー値のうちの少なくともいくつかの大きさの程度に基づいて尺度値を決定し、
上記尺度値及び複数の第２の信号の上記受信信号強度に基づいて複数のスケーリングしたパワー値を決定する、
ようにコンピュータプログラムにより構成され、
上記１つ又は複数の基準が、上記複数の第２の信号の上記受信信号強度に少なくとも部分的に基づいている上記１つ又は複数のスケーリングしたパワー値に少なくとも部分的に依存する。
【００２７】
[0027]ある種の実施形態では、上記移動通信装置が、上記第１のパワー値の残りのものと比較して最も大きいパワー値を有する上記第１のパワー値のうちの１つの大きさの程度に基づいて上記尺度値を決定する。
【００２８】
[0028]ある種の実施形態では、上記移動通信装置が、上記複数のスケーリングしたパワー値のうちの少なくともいくつかに基づいて各々の第２の信号を受信することに応じてベースラインのスケーリングしたパワー値を動的に決定し、上記ベースラインのスケーリングしたパワー値に対する上記スケーリングしたパワー値のうちの１つについてのスケーリングしたパワー増加率がしきい値のスケーリングしたパワー増加率に等しい又は以上であるときに、上記１つ又は複数の基準が満足される。
【００２９】
[0029]ある種の実施形態では、上記スケーリングしたパワー増加率が上記しきい値のスケーリングしたパワー増加率以上ではないという場合には、移動処理システムは、しきい値期間についての１つ又は複数の連続するスケーリングしたパワー値がしきい値のスケーリングしたパワー値以上であるかどうかを決定するように構成され、肯定的な決定を受けて、上記出入要求が上記移動通信装置により転送される。
【００３０】
[0030]別の１つの態様では、移動通信装置により実行可能なコンピュータプログラムが提供され、上記コンピュータプログラムが、上記移動通信装置を、
制限された区域の出入点に関係する第１の通信装置から１つ又は複数の第１の信号を受信し、
上記制限された区域の上記出入点に関係する第２の通信装置から１つ又は複数の第２の信号を受信し、
出入要求を作成し且つ転送して、上記１つ又は複数の第１の信号の受信信号強度及び上記１つ又は複数の第２の信号の受信信号強度に少なくとも部分的に基づいて、１つ又は複数の基準が満足されているという場合には、出入制御システムが上記制限された区域への出入りを承認することを可能にする、
ように構成する。
【００３１】
[0031]他の態様及び実施形態は、詳細な説明の全体を通して認識されるであろう。
【図面の簡単な説明】
【００３２】
[0032]例の実施形態は、添付の図とともに説明される少なくとも１つの好ましいが非限定的な実施形態の例としてのみ与えられる下記の説明から明確になるはずである。
【図１】特定の実施形態に効果を具現化する又は与えるために利用されることがある例の処理装置の機能ブロック図である。
【図２】特定の実施形態に効果を具現化する又は与えるために利用されることがある例のネットワーク基盤施設の図である。
【図３】駐車場のための出入制御システムに関する例のシステムのブロック図である。
【図４】図３のシステムにより実行される方法を表している流れ図である。
【図５】入口又は出口通信装置本体の例の等角図である。
【図６】入口又は出口通信装置の一部分の例の斜視前面図である。
【図７】図６の入口又は出口通信装置の一部分の例の斜視側面図である。
【図８】図６の入口又は出口通信装置の一部分の立面図である。
【図９】図６の入口又は出口通信装置の一部分の斜視端部図である。
【図１０Ａ】入口点に近づいており且つ図３のシステムを使用して駐車場内に駐車するために出入を承認される車両を模式的に図示している平面図である。
【図１０Ｂ】入口点に近づいており且つ図３のシステムを使用して駐車場内に駐車するために出入を承認される車両を模式的に図示している平面図である。
【図１０Ｃ】入口点に近づいており且つ図３のシステムを使用して駐車場内に駐車するために出入を承認される車両を模式的に図示している平面図である。
【図１１Ａ】出口点に近づいており且つ図３のシステムを使用して駐車場を去ることを認可される車両を模式的に図示している平面図である。
【図１１Ｂ】出口点に近づいており且つ図３のシステムを使用して駐車場を去ることを認可される車両を模式的に図示している平面図である。
【図１１Ｃ】出口点に近づいており且つ図３のシステムを使用して駐車場を去ることを認可される車両を模式的に図示している平面図である。
【図１２】図３の通信システムから移動通信装置によって受信された第１の信号、第２の信号、第３の信号及び第４の信号に関する経時的なスケーリングしたパワー値のグラフである。
【図１３】住居用／商業用駐車区域のための出入制御システムに関する例のシステムのブロック図である。
【図１４】ビルディング出入システムのための出入制御システムに関する例のシステムのブロック図である。
【図１５】出入制御システムに関するさらなる例のシステムのブロック図である。
【発明を実施するための形態】
【００３３】
[0048]単に例として与えられた下記のモードは、好ましい１つ又は複数の実施形態の主題のより精細な理解を提供するために説明されている。例の実施形態の特徴を図説するために組み込まれている図では、類似の参照番号が、図全体を通して類似の部品を識別するために使用されている。
【００３４】
[0049]本発明の特定の実施形態は、処理装置を使用して実現されることが可能であり、処理装置の例が図１に示されている。特に処理装置１００は、バス又はバス１１０のグループを介して一緒につなげられている少なくとも１つのプロセッサ１０２又は処理ユニット又は複数のプロセッサ、メモリ１０４、少なくとも１つの入力装置１０６及び少なくとも１つの出力装置１０８を一般に含んでいる。ある種の実施形態では、入力装置１０６及び出力装置１０８は、同じ装置であってもよい。インターフェース１１２は、処理装置１００を１つ又は複数の周辺装置につなげるためにやはり設けられることがあり、例えば、インターフェース１１２は、ＰＣＩカード又はＰＣカードであってもよい。少なくとも１つのデータベース１１６を収納する少なくとも１つの記憶装置１１４が、やはり設けられることがある。メモリ１０４は、メモリ装置、例えば、揮発性メモリ又は不揮発性メモリ、固体記憶装置、磁気装置、等の任意の形態であってもよい。プロセッサ１０２は、１つよりも多くの別個の処理装置を含むことができ、例えば、処理装置１００内で様々な機能を取り扱うことができる。
【００３５】
[0050]入力装置１０６は、例えば、ネットワークを介して又はローカル記憶装置から（電子コンテンツデータなどの）入力データ１１８を受信する。出力装置１０８は、（表示可能なコンテンツなどの）出力データ１２０を生成し又は作成し、出力データ１２０がビジュアルであるケースでは表示装置又はモニタ、出力データ１２０が印刷されるケースではプリンタ、ポート例えばＵＳＢポート、周辺構成機器アダプタ、モデムなどのデータ送信機若しくはアンテナ、又は無線ネットワークアダプタ、等を含んでもよい。出力データ１２０は、別個であってもよく、ネットワークへ送信されるデータと合わせて異なる出力装置、例えば、モニタ上のビジュアルディスプレイから派生されることがあってもよい。利用者は、例えば、モニタ上で又はプリンタを使用してデータ出力又はデータ出力の解釈を見ることができる。記憶装置１１４は、任意の形態のデータ又は情報記憶手段、例えば、揮発性又は不揮発性メモリ、固体記憶装置、磁気装置、等、であってもよい。
【００３６】
[0051]電子データ記憶装置１１４の例は、ディスク記憶装置、ＣＤ、ＤＶＤ、ブルーレイディスクなどの光ディスク、フラッシュメモリ／メモリカード（例えば、固体半導体メモリ）、ＭｕｌｔｉＭｅｄｉａ  Ｃａｒｄ、ＵＳＢスティック又はキー、フラッシュドライブ、Ｓｅｃｕｒｅ  Ｄｉｇｉｔａｌ（ＳＤ）カード、ｍｉｃｒｏＳＤカード、ｍｉｎｉＳＤカード、ＳＤＨＣカード、ｍｉｎｉＳＤＳＣカード、ソリッドステートドライブ、等を含むことができる。
【００３７】
[0052]使用では、処理装置１００は、データ又は情報が、有線通信手段又は無線通信手段を介して、少なくとも１つのデータベース１１６に記憶されること及び／又は取得されることを可能にするように構成される。インターフェース１１２は、処理ユニット１０２と専門化した目的を取り扱うことができる周辺構成機器との間の有線通信及び／又は無線通信を可能にすることがある。プロセッサ１０２は、入力装置１０６を介して入力データ１１８としてインストラクションを受信し、出力装置１０８を利用することにより利用者へ処理した結果又は他の出力を表示できる。１つよりも多くの入力装置１０６及び／又は出力装置１０８が設けられてもよい。処理装置１００が端末、ＰＣ、ラップトップ、ノートブック、タブレット、スマートフォン、専門ハードウェア、等の任意の形態であってもよいことが認識されるはずである。
【００３８】
[0053]処理装置１００は、図２に示したように、ネットワーク化通信システム２００の一部であってもよい。処理装置１００は、ネットワーク２０２、例えば、インターネット又はＷＡＮに接続するはずである。入力データ１１８及び出力データ１２０が、ネットワーク２０２を介して他の装置へ通信されることがある。他の端末、例えば、シンクライアント２０４、さらなる処理システム２０６及び２０８、ノートブックコンピュータ２１０、メインフレームコンピュータ２１２、ＰＤＡ２１４、ペンコンピュータ２１６、サーバ２１８、等が、ネットワーク２０２に接続されてもよい。多種多様な他のタイプの端末又は構成が、利用されることがある。ネットワーク２０２をわたる情報及び／又はデータの転送は、有線通信手段２２０又は無線通信手段２２２を使用して実現されてもよい。サーバ２１８は、ネットワーク２０２と１つ又は複数のデータベース２２４との間の転送を容易にできる。サーバ２１８及び１つ又は複数のデータベース２２４は、情報源の例を提供している。
【００３９】
[0054]他のネットワークは、ネットワーク２０２と通信してもよい。例えば、電気通信ネットワーク２３０は、無線通信手段２３６及び受信／送信局２３８を利用することによりネットワーク２０２と携帯電話機若しくはセルラー電話機２３２又はＰＤＡ型装置２３４との間のデータの転送を容易にするはずである。衛星通信ネットワーク２４０は、衛星２４４からデータ信号を受信し、順に衛星信号送信機２４６と遠隔通信している衛星信号受信機２４２と通信できるはずである。端末、例えば、さらなる処理システム２４８、ノートブックコンピュータ２５０又は衛星電話機２５２は、ネットワーク２０２と以て通信することがある。例えば、プライベートネットワーク、ＬＡＮ、等であってもよいローカルネットワーク２６０は、ネットワーク２０２にやはり接続されることがある。例えば、ネットワーク２０２は、端末２６４、データベース２６８への及び／又はからのデータの伝送を制御するサーバ２６６、並びにプリンタ２７０を接続するイーサネット（登録商標）２６２と接続されるはずである。様々な他のタイプのネットワークが、利用されるはずである。
【００４０】
[0055]処理装置１００は、ネットワーク２０２へ及びからのデータ１１８、１２０を送ること及び受信することにより他の端末、例えば、さらなる処理システム２０６、２０８と通信するように構成されており、以てネットワーク化通信システム２００の他の構成機器との起きることがある通信を容易にしている。
【００４１】
[0056]このように、例えば、ネットワーク２０２、２３０、２４０は、インターネットの一部を形成することがある、又はインターネットに接続されることがあり、このケースでは、端末２０６、２１２、２１８は、例えば、ウェブサーバ、インターネット端末等であってもよい。ネットワーク２０２、２３０、２４０、２６０は、ＬＡＮ、ＷＡＮ、イーサネット、トークンリング、ＦＤＤＩリング、スター、等などの他の通信ネットワーク、ネットワーク、又はＧＳＭ（登録商標）、ＣＤＭＡ若しくは３Ｇ、４Ｇ、等などの携帯電話ネットワーク、ネットワークの一部であってもよい又は一部を形成することがあり、特定の実装形態に応じて、全体として又は部分的に、例えば光ファイバを含む有線ネットワーク又は無線ネットワークであってもよい。
【００４２】
[0057]図３を参照すると、車両駐車場用の出入制御システム３０４とともに使用するための例のシステム３０２が示されている。１つの形態では、システム３０２は、仮想発券システムとして動作している。システム３０２、３０４は、一緒に動作してシステム３００を形成している。
【００４３】
[0058]特に、システム３０２は、車両駐車場に関係する通信システム３０６及び移動通信装置３１０上で実行可能なコンピュータプログラム３０８を含む。
【００４４】
[0059]移動通信装置３１０は、処理装置１００の形態で、そしてより具体的にスマートフォン、タブレット処理システム等の形態で与えられてもよい。特に、移動通信装置３１０は、バスを介して一緒につなげられたプロセッサ１０２、メモリ１０４、入力装置１０６、出力装置１０８、通信インターフェース１１２を一般に含む。入力装置及び出力装置１０６、１０８は、タッチスクリーンディスプレイなどの一体型の形態で与えられてもよい。特定の実施形態では、移動通信装置３１０は、カメラ装置を含むことができる。移動通信装置３１０は、車両の運転者又は搭乗者であるはずの利用者などのエンティティと一般に関係する。コンピュータプログラム３０８は、「モバイルアプリケーション」の形態で与えられてもよい。
【００４５】
[0060]使用では、移動通信装置３１０は、車両内の利用者の近くに、利用者のポケット内に設置される、車両内に載置される、等であるはずである。通信が移動通信装置３１０と通信システム３０６との間に作成するために、利用者は、使用中に移動通信装置３１０と対話する必要がないことが好ましい。むしろ、移動通信装置３１０は、自動的に動作し、制限された車両駐車区域に入る及び出るために利用者入力なしに通信システムと通信するように構成される。
【００４６】
[0061]車両駐車場の出入制御システム３０４は、出入制御処理システム３１２、車両駐車場の入口点のところのチケット発券機の形態の入口制御装置３１４、車両駐車場の出口点のところのチケット読取り機の形態の出口制御装置３１６、それぞれ入口点及び出口点のところの自動入場及び退出アセンブリ３１８、３２０（例えば、自動制御型ブームゲート）、及び車両検出システム３２２を含んでいるチケット発券システムであってもよい。出入制御処理システム３１２は、処理装置１００の形態で設けられてもよい。
【００４７】
[0062]説明したシステム３０２は、物理的なチケットを今のところ発行する既存の出入制御システム３０４を用いて改造されてもよく、その結果エンティティは、それぞれの移動通信装置３１０に仮想チケットの形態で認可データを受け取る選択肢を有することが有利である。しかしながら、システム３０２を含んでいるシステム３００が新たに設計され据え付けられてもよい。明確化の目的で、エンティティは、この例では移動通信装置３１０と関係する利用者である。
【００４８】
[0063]図３をより具体的に参照すると、通信システム３０６は、一般に無線通信を利用するローカル通信システムである。通信システム３０６は、制限された区域の入口点に関係する少なくとも１つの入口通信装置を含んでいる入口通信システム３２４、及び制限された区域の出口点に関係する少なくとも１つの出口通信装置を含んでいる出口通信システム３２６を含む。
【００４９】
[0064]好ましい形態では、通信システム３０６は、制限された区域の入口点に関係する複数の入口通信装置、及び制限された区域の出口点に関係する複数の出口通信装置を含む。下記により詳細に説明されるであろうように、多数の入口通信装置及び出口通信装置の使用は、異なる通信特性（例えば、速度、通信感度、等）を有している異なる移動通信装置を取り扱うために有利なことがある。
【００５０】
[0065]より具体的には、入口通信システム３２４は、駐車場の入口点のところのチケット発券機３１４及び入口ブームゲートアセンブリ３１８まで短い距離（すなわち０．５〜１０メートル）前に設置された第１の入口通信装置３３４を含む。同様に、第１の出口通信装置３５４は、駐車場の出口点のところのチケット読取り機３１６及び出口ブームゲートアセンブリ３２０まで小さい距離（すなわち、０．５〜１０メートル）前に設置されている。１つの形態では、第１の入口通信装置３３４及び第１の出口通信装置３５４は、それぞれのボラードの内部に設置されている。第１の入口通信装置及び第１の出口通信装置３３４、３５４は、好ましくは固定された装置である。第１の入口通信装置３３４及び第１の出口通信装置３５４は、Ｂｌｕｅｔｏｏｔｈ  Ｌｏｗ  ＥｎｅｒｇｙなどのＢｌｕｅｔｏｏｔｈプロトコルを使用することが好ましい。第１の入口通信装置及び第１の出口通信装置によって送信された無線信号は、それぞれの通信装置に関する固有の装置アイデンティティ／アドレスを示している。
【００５１】
[0066]図５を参照すると、指向性アンテナを規定する放物線形状の内壁を有している第１の入口通信装置３３４又は第１の出口通信装置３５４の通信装置本体３２５が示されている。図６〜図９は、通信装置本体３２５の後表面に載置されているマイクロコントローラ３２８とともに組み立てられた通信装置本体を示している。マイクロコントローラ３２８は、様々な無線通信処理を実行するように構成される。図６〜図９に見られることが可能であるように、マイクロコントローラ３２８と電気的に通信しているアンテナ素子３２７は、放物線形状の内壁の焦点のところに設置されている。通信装置本体３２５の放物線形状の壁は、「ホットスポット」のような焦点を当てた送信領域を規定しており、移動通信装置３１０は、焦点を当てた送信領域の外側の区域と比較して受信信号強度の強い増加を検出することができる。図５〜図９に示したように、第１の入口通信装置及び第１の出口通信装置３３４、３５４の指向性アンテナは、パラボラアンテナであり、これは特定の領域内で送信された信号の送信を有利に収束し、一方で、広い領域にわたって移動通信装置３１０からの送信信号を依然として捉えている。明確化の目的でカバーが図５〜図９には示されていないが、カバーがボラードの外壁と実質的に同じ高さである本体３２５の側端部間に広がることができることが認識されるであろう。
【００５２】
[0067]好ましい形態では、通信システム３０６の入口通信システム３２４は、チケット発券機３１４内に又は近くに設置された第２の入口通信装置３３６をさらに含むことができる。さらに、通信システム３０６の出口通信システム３２６は、チケット読取り機３１６内に又は近くに設置された第２の出口通信装置３５６をさらに含むことができる。第２の入口通信装置及び第２の出口通信装置３３６、３５６は、好ましくは固定された装置である。好ましい形態では、第２の入口通信装置及び第２の出口通信装置３３６、３５６は、Ｂｌｕｅｔｏｏｔｈ  Ｌｏｗ  Ｅｎｅｒｇｙを使用しているＢｌｕｅｔｏｏｔｈ通信装置である。第２の入口通信装置及び第２の出口通信装置３３６、３５６によって送信された無線信号は、それぞれの通信装置に関する固有の装置アイデンティティ／アドレスを示している。第２の入口通信装置３３６は、チケット発券機３１４内に又は近くに設置されたＲａｓｐｂｅｒｒｙ  Ｐｉマイクロコントローラ等の入口点マイクロコントローラ３３８の一部である又はつなげられている。第１の入口通信装置３３４は、ボラードとチケット発券機３１４との間に延びている有線媒体を介して入口点マイクロコントローラ３３８にやはりつなげられている。同様に、第２の出口通信装置３５６は、有線媒体を介して、チケット読取り機３１６内に又は近くに設置されたＲａｓｐｂｅｒｒｙ  Ｐｉマイクロコントローラ等の出口点マイクロコントローラ３５８の一部である又はつなげられている。第１の出口通信装置３５４は、ボラードとチケット読取り機３１６との間に延びている有線媒体を介して出口点マイクロコントローラ３５８の一部である又はやはりつなげられている。
【００５３】
[0068]通信システム３０６の入口通信システム３２４は、第１の入口送信機３３０及び第２の入口送信機３３２の形態で設けられた第３の入口通信装置及び第４の入口通信装置３３０、３３２を好ましくはさらに含む。さらに、通信システム３０６の出口通信システム３２６は、第１の出口送信機３５０及び第２の出口送信機３５２の形態で設けられた第３の出口通信装置及び第４の出口通信装置３５０、３５２をさらに含む。第１及び第２の入口送信機及び出口送信機３３０、３３２、３５０、３５２は、ビーコンとして動作するように構成されており、各々が、近づいてくる移動通信装置３１０によって受信されることが可能な固有の無線信号を周期的に送信している。固有の無線信号は、それぞれの通信装置に関係する（汎用一意識別子などの）一意識別子を示すことができる。近づいてくる移動通信装置３１０によって受信されることが可能な固有の無線信号は、移動通信装置３１０により使用されることがあり、車両のどちらの側（すなわち、左又は右）に近づいてくる移動通信装置３１０が設置されているかを決定する。下記にさらに詳細に説明されるであろうように、特定の移動通信装置３１０が車両１０００の左側又は右側に設置されているかどうかを決定することは、通信システム３０６と通信しようと実質的に同時に試みている車両１０００に設置された多数の移動通信装置３１０間を識別するために使用されることがある。加えて、送信機３３０、３３２、３５０、３５２からの受信無線信号が、近づいてくる移動通信装置３１０により解析されることが可能であり、入場要求又は退出要求が移動通信装置３１０によりいつ送信されるべきであるか決定することを支援する。
【００５４】
[0069]第１の入口送信機及び第２の入口送信機３３０、３３２は、図１０Ａ〜図１０Ｃに示したように入口通路（すなわち、道路又は乗り入れ道路）の隣接する反対側に一般に設置されている。特に、第１の入口送信機及び第２の入口送信機３３０、３３２は、車両入口通路の中心に対して空間的にオフセットされる。１つの特定の形態では、第１の入口送信機３３０及び第２の入口送信機３３２は、駐車場の屋根表面、地面、又は壁表面の上に／中に載置される／埋め込まれることがある。一般に、第１の入口送信機及び第２の入口送信機３３０、３３２は、第１の入口送信機及び第２の入口送信機３３０、３３２を通るときに入口車両通路に沿って車両１０００の移動方向に対して実質的に直交して整列されている。１つの形態では、第１の入口送信機及び第２の入口送信機３３０、３３２は、別々の電源が可能であるが、共通電源を共有する。
【００５５】
[0070]同様に、第１の出口送信機及び第２の出口送信機３５０、３５２は、図１１Ａ〜図１１Ｃに示したように出口通路（すなわち、道路又は乗り入れ道路）の隣接する反対側に一般に設置されている。特に、第１の出口送信機及び第２の出口送信機３５０、３５２は、車両出口通路の中心に対して空間的にオフセットされる。１つの特定の形態では、第１の出口送信機３５０及び第２の出口送信機３５２は、駐車場の屋根表面、地面、又は壁表面の上に／中に載置される／埋め込まれることがある。一般に、第１の出口送信機及び第２の出口送信機３５０、３５２は、第１の出口送信機及び第２の出口送信機３５０、３５２を通るときに出口車両通路に沿って車両１０００の移動方向に対して実質的に直交して整列される。１つの形態では、第１の出口送信機及び第２の出口送信機３５０、３５２は、別々の電源が可能であるが、共通電源を共有する。
【００５６】
[0071]一般的な形態では、移動通信装置３１０は、入場基準を満足している第１の入口通信装置３３４からの第１の入場信号を受信することに応じて入場要求を作成し且つ転送するように構成される。加えて、移動通信装置３１０は、退出基準を満足している第１の出口通信装置からの第１の退出信号３５４を受信することに応じて退出要求を作成し且つ転送するように構成される。１つの形態では、入場基準及び退出基準は、受信した第１の入場信号及び第１の退出信号の受信信号強度に少なくとも部分的に基づいている。
【００５７】
[0072]より好ましい形態では、移動通信装置３１０は、１つ又は複数の入場基準を実質的に同時に満足している第１の入口通信装置３３４からの第１の入場信号及び第２の入口通信装置３３６からの第２の入場信号を受信することに応じて入場要求を作成し且つ転送するように構成される。同様に、より好ましい形態では、移動通信装置３１０は、１つ又は複数の退出基準を実質的に同時に満足している第１の出口通信装置３５４からの第１の退出信号及び第２の出口通信装置３５６からの第２の退出信号を受信することに応じて退出要求を作成し且つ転送するように構成される。
【００５８】
[0073]移動通信装置３１０が受信信号強度に強い影響を及ぼすことがある車両１０００に設置されることが可能な多種多様な場所のために、及びやはり多種多様な移動通信装置３１０の変化する信号受信特性のために、いくつかの事例では、事前に規定したしきい値受信信号強度に単に依存して入場基準及び退出基準を事前に規定することが可能ではないことがある。これゆえ、好ましい形態では、移動通信装置３１０は、第１の入口送信機及び第２の入口送信機３３０、３３２から受信される複数の第３の入場信号及び／又は第４の入場信号の受信信号強度に基づいて入場尺度値を動的に決定するように構成されており、その結果、事前に規定した入場基準が、移動通信装置３１０により利用されることがあり、入場尺度値を使用して入場要求をいつ転送するかを決定する。同様に、移動通信装置３１０は、第１の出口送信機及び第２の出口送信機３５０、３５２から受信される複数の第３の退出信号及び／又は第４の退出信号の受信信号強度に基づいて退出尺度値を動的に決定するように構成されており、その結果、事前に規定した退出基準が、移動通信装置３１０により利用されることがあり、退出尺度値を使用して退出要求をいつ転送するかを決定する。
【００５９】
[0074]より具体的に、移動通信装置３１０は、第３の入場信号及び第４の入場信号に関する受信信号強度を受信パワー値に連続的に変換するように構成される。各パワー値は、受信信号強度並びに第１の入口送信機及び第２の入口送信機３３０、３３２の送信特性を表しているメモリに記憶されている構成データを使用して移動通信装置３１０により決定される。移動通信装置３１０は、入口点に近づいているときに受信した第３の入場信号及び第４の入場信号に関する（パワー値のシフトしている過去のウィンドウなどの）パワー値のうちの少なくともいくつかを次いで解析して、計算しようとするパワー値の大きさの程度を決定する。特に、受信パワーの大きさの程度は、様々な移動通信装置と車両内の移動通信装置の位置との間で著しく変わることがある。１つの形態では、パワー値の大きさの程度は、第１の送信機又は第２の送信機３３０、３３２について検出したピークパワー値に基づいて決定されることがある。１つの形態では、ピークパワー値は、移動通信装置が、図１０Ｂに図示したように、第１の入口送信機又は第２の入口送信機３３０、３３２まで空間的に最も近い点を丁度通過するときに生じることがある。シフトしている過去のウィンドウの長さは、干渉等に起因する変動を考慮するために（構成データを介してなど）イブンメモリであることがある。車両１０００内の移動通信装置３１０の場所に応じて、ピークパワー値が、第１の入口送信機又は第２の入口送信機３３０、３３２のいずれかについて特定されることがある。一旦、ピークパワー値が、受信した第３の入場信号又は第４の入場信号のパワーの検出された下降のために、第１の入口送信機又は第２の入口送信機３３０、３３２のいずれかに対して検出されてしまうと、移動通信装置３１０は、第１の入口送信機又は第２の入口送信機３３０、３３２からの受信した第３の入場信号又は第４の入場信号のピークパワーの値に基づいて入場尺度値を決定する。入場尺度値は、移動通信装置３１０により決定されることがあり、その結果、ピークパワー値は、事前に規定したスケーリングしたパワー値（図１２に示したように、例えば、１０００）を有するように、線形でスケーリングされる。入場尺度値は、移動通信装置３１０のメモリに記憶され、受信した第１の入場信号及び第２の入場信号に関係する入場要求を送信するかどうか／いつ送信するかを決定するために後で使用される。この特定の例では、入場要求は、通信システム３０６の第２の入口通信装置３３６によって受信されることが可能である。
【００６０】
[0075]移動通信装置３１０は、第１の入口送信機及び第２の入口送信機３３０、３３２のピークパワー値をやはり決定し且つ比較することができて、車両１０００のどちら側（例えば、左又は右）に移動通信装置３１０が設置されているかを決定する。移動通信装置３１０は、入口通路のどちら側に各々の入口送信機が設置されているかを示しており、サーバ処理システム３４０から受信される構成データをメモリに記憶する。例えば、第１の入口送信機３３０は、車両入口通路の左側に設置されることがあり、第２の入口送信機３３２は、車両入口通路の右側に設置されることがある。２つの入口送信機３３０、３３２の間での最大のピークパワー値が第１の入口送信機３３０から受信される第３の信号に関係するという場合には、移動通信装置３１０は、車両１０００の左側に移動通信装置３１０が設置されていることを決定する。或いは、２つの入口送信機３３０、３３２の間での最大のピークパワー値が第２の入口送信機３３２から受信される第４の信号に関係するという場合には、移動通信装置３１０は、車両１０００の右側に移動通信装置３１０が設置されていることを決定する。移動通信装置３１０が設置されている車両の特定の側を示している位置データは、移動通信装置３１０のメモリに記憶され、出入制御処理システム３１２により使用されることがあり入場要求の一部として転送されて、同じ車両内の多数の移動通信装置３１０から実質的に同時に受信される多数の入場要求間を区別している。
【００６１】
[0076]一旦、入場尺度値が決定されると、移動通信装置３１０は、第１の入口通信装置及び第２の入口通信装置３３４、３３６から受信される第１の入場信号及び第２の入場信号の決定されたパワー値をスケーリングするように構成される。
【００６２】
[0077]移動通信装置３１０が入口点に向かって近づくと移動通信装置３１０が受信する各第１の入場信号について、移動通信装置３１０は、第１の入場信号の受信信号強度を決定し、受信信号強度をパワーへと次いで変換する。移動通信装置３１０は、入場尺度値にしたがってパワーを次いでスケーリングし、いずれかの以前に受信した第１の入場信号の少なくとも一部に対して以前に決定しているスケーリングしたパワー値を考慮してスケーリングしたパワー値に平滑化機能を適用する。同様のプロセスが、それぞれ受信される第２の入場信号について生じる。特に、移動通信装置３１０が入口点に向かって近づくと移動通信装置３１０が受信する各々の第２の入場信号に、移動通信装置３１０は、第２の入場信号の受信信号強度を決定し、受信信号強度をパワーへと次いで変換する。移動通信装置３１０は、入場尺度値にしたがってパワー値を次いでスケーリングし、いずれかの以前に受信した第２の信号の少なくとも一部に対して以前に決定しているスケーリングしたパワー値を考慮してスケーリングしたパワー値に平滑化機能を適用する。移動通信装置３１０は、第１の入場信号及び第２の入場信号のごく最近の受信サンプルに関するスケーリングしたパワー値が１つ又は複数の入場信号基準を満足しているかどうかを次いで決定する。満足している１つ又は複数の入場信号基準に応じて、移動通信装置３１０は、入場要求を作成し且つ送信する。この例では、入場要求は、第２の通信装置３５６によって受信される。
【００６３】
[0078]より具体的に、移動通信装置は、各々の第１の入場信号を受信した後で第１のベースラインの入場スケーリングパワー値を、そして各々の第２の入場信号を受信した後で第２のベースラインの入場スケーリングパワー値を動的に作成する。第１のベースラインの入場スケーリングパワー値及び第２のベースラインの入場スケーリングパワー値は、しきい値期間にわたる又は受信信号のしきい値数（例えば、最後の５０サンプル）にわたるスケーリングしたパワー値の平均として計算されてもよい。このように、ベースラインが時間とともに変化することが認識されるであろう。移動通信装置３１０は、第１の事前に規定したしきい値の入場増加率及び第２の事前に規定したしきい値の入場増加率をメモリに記憶する。１つの形態では、第１の事前に規定したしきい値の入場増加率及び第２の事前に規定したしきい値の入場増加率は、構成データにおいて規定されることがある。一例では、増加率の他の表現が可能であるが、様々な増加率が、増加のパーセントとして表現されることがある。移動通信装置３１０は、第１のベースラインの入場スケーリングパワー値に対して第１の入場信号の現在のスケーリングしたパワー値の第１の入場増加率を決定する。さらに、移動通信装置３１０は、第２のベースラインの入場スケーリングパワー値に対して第２の入場信号の現在のスケーリングしたパワー値の第２の入場増加率を決定する。移動通信装置３１０は、第１の入場増加率及び第２の入場増加率がそれぞれ事前に規定した第１のしきい値の入場増加率及び第２のしきい値の入場増加率を満足しているか又は超えているかどうかを次いで決定する。１つの形態では、移動通信装置３１０は、ごく最近の受信信号の第１のスケーリングしたパワー値及び第２のスケーリングしたパワー値が、誤った肯定的な検出を避けるために第１のスケーリングしたパワーしきい値及び第２のスケーリングしたパワーしきい値を満足しているか又は超えているかどうかをやはり決定することができる。肯定的な決定の場合には、移動通信装置３１０は、入場要求を作成し且つ送信する。１つの変形形態では、複数の連続する成長率は、干渉等の突然の変化を避けるために作成され且つ転送されるべき入場要求のために連続するスケーリングしたパワー値に関するしきい値を満足している又は超えている必要がある場合がある。
【００６４】
[0079]第１の入場増加率及び第２の入場増加率がそれぞれ事前に規定した第１のしきい値の入場増加率及び第２のしきい値の入場増加率を満足していない又は超えていない場合には、移動通信装置３１０は、しきい値期間の間の連続的なスケーリングしたパワー値が事前に規定されたスケーリングしたパワー値しきい値よりも大きいかどうかをチェックするように構成されることがある。一時的なしきい値及び関係する事前に規定されたスケーリングしたパワー値しきい値が、移動通信装置３１０のメモリに記憶されることがあり、構成データにより規定されることがある。このフェイルセーフ処理は、入口点に向かって接近中に利用者が自身の移動通信装置を取り扱うことなどの、普通でない環境に起因して実行されることがある。例えば、第１の入場信号についてのスケーリングしたパワー値がしきい値期間（例えば、４秒）の間に第１のスケーリングしたパワーしきい値（例えば、２００）よりも大きくなっていること、及び第２の入場信号についてのスケーリングしたパワー値がしきい値期間（例えば、４秒）の間に第２のスケーリングしたパワーしきい値（例えば、４００）よりも大きくなっていることを、移動通信装置３１０が決定しているという場合には、移動通信装置３１０は、１つ又は複数の入場基準が満足されており、その時には入場要求を作成し且つ送信することに進む。
【００６５】
[0080]同様のプロセスが、第１の出口通信装置及び第２の出口通信装置に関して起きる。特に、移動通信装置３１０は、第３の退出信号及び第４の退出信号についての受信信号強度を受信パワー値に連続的に変換するように構成される。各パワー値は、受信信号強度並びに第１の出口送信機及び第２の出口送信機３５０、３５２の送信特性を示しているメモリに記憶されている事前に規定したデータを使用して移動通信装置３１０により決定される。移動通信装置３１０は、（受信した第３の退出信号及び第４の退出信号に関するパワー値のシフトしている過去のウィンドウなどの）受信パワー値のうちの少なくともいくつかを次いで解析して、パワー値の大きさの程度を決定する。１つの形態では、大きさの程度は、第１の出口送信機又は第２の出口送信機３５０、３５２についてのピークパワー値の大きさに基づいて決定されることがある。１つの形態では、ピークパワー値は、移動通信装置３１０が、図１１Ｂに図示したように、第１の出口送信機又は第２の出口送信機３５０、３５２まで空間的に最も近い点を丁度通過しているときに決定されることがある。シフトしている過去のウィンドウの長さは、干渉等に起因する変動を考慮するために規定されており、構成データにおいて規定されることがある。車両１０００内の移動通信装置３１０の場所に応じて、ピークパワー値は、第１の出口送信機又は第２の出口送信機３５０、３５２のいずれかに関係することがある。一旦、ピークパワー値が、受信した第３の退出信号又は第４の退出信号のパワーの検出された下降のために、第１の出口送信機又は第２の出口送信機３５０、３５２のいずれかに対して検出されると、移動通信装置３１０は、第１の出口送信機又は第２の出口送信機３５０、３５２からの受信した第３の退出信号又は第４の退出信号のピークパワーの値に基づいて退出尺度値を決定する。退出尺度値は、移動通信装置３１０により決定されることがあり、その結果、ピークパワー値は、事前に規定されたスケーリングしたパワー値（例えば、１０００）を有するように、線形でスケーリングされる。退出尺度値は、移動通信装置３１０のメモリに記憶され、そして第１の退出信号及び第２の退出信号に応じて退出要求を送信するか／いつ送信するかを決定するために後で使用される。
【００６６】
[0081]いくつかの事例では、移動通信装置３１０は、第１の出口送信機及び第２の出口送信機３５０、３５２のピークパワー値をやはり決定し且つ比較することができて、制限された区域を出ようとするときに車両１０００のどちら側（例えば、左又は右）に移動通信装置３１０が設置されているかを決定する。移動通信装置３１０は、車両出口通路のどちら側に各々の出口送信機３５０、３５２が設置されているかを示しており、サーバ処理システム３４０から受信される構成データをメモリに記憶する。例えば、第１の出口送信機３５０は、車両出口通路の左側に設置されることがあり、第２の出口送信機３５２は、車両出口通路の右側に設置されることがある。２つの出口送信機３５０、３５２間の最大のピークパワー値が第１の出口送信機３３０から受信される第３の信号に関係しているという場合には、移動通信装置３１０は、車両１０００の左側に移動通信装置３１０が設置されていることを決定する。或いは、２つの出口送信機３５０、３５２間の最大のピークパワー値が第２の出口送信機３５２から受信される第４の信号に関係しているという場合には、移動通信装置３１０は、車両１０００の右側に移動通信装置３１０が設置されていることを決定する。移動通信装置３１０が設置されている車両の特定の側を示している位置データは、移動通信装置３１０のメモリに記憶され、出入制御処理システム３１２により使用されることがある退出要求の一部として提供されて、同じ車両１０００内の多数の移動通信装置から実質的に同時に受信される多数の退出要求間を区別する。
【００６７】
[0082]一旦、退出尺度値が決定されると、移動通信装置３１０は、第１の出口通信装置及び第２の出口通信装置から受信される第１の信号及び第２の信号の決定したパワー値をスケーリングするように構成される。
【００６８】
[0083]移動通信装置３１０が出口点に向かって近づくと移動通信装置３１０が受信する各々の第１の退出信号について、移動通信装置３１０は、第１の退出信号の受信信号強度を決定し、受信信号強度をパワーへと次いで変換する。移動通信装置３１０は、退出尺度値にしたがってパワーを次いでスケーリングし、いずれかの以前に受信された第１の退出信号の少なくとも一部分に対して以前に決定されたスケーリングしたパワー値を考慮してスケーリングしたパワー値に平滑化機能を適用する。同様のプロセスが、各々の受信された第２の退出信号について生じる。特に、移動通信装置３１０が出口点に向かって近づくと移動通信装置３１０が受信する各々の第２の退出信号について、移動通信装置３１０は、第２の退出信号の受信信号強度を決定し、受信信号強度をパワーへと次いで変換する。移動通信装置３１０は、退出尺度値にしたがってパワー値を次いでスケーリングし、いずれかの以前に受信された第２の退出信号の少なくとも一部分に対して以前に決定されたスケーリングしたパワー値を考慮してスケーリングしたパワー値に平滑化機能を適用する。移動通信装置３１０は、ごく最近の受信した第１の退出信号及び第２の退出信号に関するスケーリングしたパワー値が１つ又は複数の退出基準を満足しているかどうかを次いで決定する。１つ又は複数の退出基準が満足されていることに応じて、移動通信装置３１０は、退出要求を作成し且つ送信する。この特定の例では、退出要求が、通信システム３０６の第２の出口通信装置３５６によって受信されることがある。
【００６９】
[0084]より具体的に、移動通信装置３１０は、各々の第１の退出信号を受信した後で第１のベースラインの退出スケーリングパワー値を、そして各々の第２の退出信号を受信した後で第２のベースラインの退出スケーリングパワー値を動的に作成する。第１のベースラインの退出スケーリングパワー値及び第２のベースラインの退出スケーリングパワー値は、しきい値期間にわたり又は受信信号のしきい値数（例えば、最後の５０サンプル）にわたり受信されるスケーリングしたパワー値の平均として計算されることがある。このように、ベースラインが経時的に変化することが認識されるであろう。移動通信装置３１０は、第１の事前に規定したしきい値の退出増加率及び第２の事前に規定したしきい値の退出増加率をメモリに記憶する。移動通信装置３１０は、第１のベースラインの退出スケーリングパワー値に対して第１の退出信号の現在のスケーリングしたパワー値の第１の退出増加率を決定する。さらに、移動通信装置３１０は、第２のベースラインの退出スケーリングパワー値に対して第２の退出信号の現在のスケーリングしたパワー値の第２の退出増加率を決定する。移動通信装置３１０は、第１の退出増加率及び第２の退出増加率がそれぞれ事前に規定した第１のしきい値の退出増加率及び第２のしきい値の退出増加率を満足しているか又は超えているかどうかを次いで決定する。任意選択で、移動通信装置３１０は、ごく最近の受信した第１の信号及び第２の信号のスケーリングしたパワー値が、スケーリングしたパワーしきい値を満足しているか又は超えているかどうかを決定する。肯定的な決定の場合には、移動通信装置３１０は、退出要求をそのときには作成し且つ送信する。入場基準について以前に論じたように、１つの変形形態では、複数の連続する成長率は、干渉等の突然の変化を避けるために、退出要求が作成され且つ転送されるために連続するスケーリングしたパワー値に関するしきい値を満足している又は超えている必要があることがある。
【００７０】
[0085]第１の退出増加率及び第２の退出増加率がそれぞれ事前に規定した第１のしきい値の退出増加率及び第２のしきい値の退出増加率を満足していない又は超えていないという場合には、移動通信装置３１０は、事前に規定されたスケーリングしたパワー値しきい値を満足している又は超えているしきい値期間にわたり、連続するスケーリングしたパワー値が決定されているかどうかをチェックするように構成されることがある。一時的でありスケーリングしたパワー値しきい値は、移動通信装置３１０のメモリに記憶されることがあり、構成データの一部であってもよい。このフェイルセーフ処理は、出口点に向かって接近中に利用者が自身の移動通信装置３１０を取り扱うことなどの、普通でない環境のために実行されることがある。例えば、第１の退出信号についてのスケーリングしたパワー値がしきい値期間（例えば、４秒）の間第１のスケーリングしたパワーしきい値（例えば、２００）よりも大きくなっていること、及び第２の退出信号についてのスケーリングしたパワー値がしきい値期間（例えば、４秒）の間第２のスケーリングしたパワーしきい値（例えば、４００）よりも大きくなっていることを、移動通信装置３１０が決定するという場合には、移動通信装置３１０は、１つ又は複数の退出基準が満足されており、その時には退出要求を作成し且つ送信することに進む。
【００７１】
[0086]いくつかの構成ではそして上に述べたように、多数の移動通信装置３１０が出口点に近づいている車両１０００に設置されることを例にあげることができる。しかしながら、移動通信装置３１０のうちの１つだけが、それぞれの駐車場についての認可データをメモリに記憶することがある。出口通信システム３２６から１つ又は複数の退出信号を受信することに応じて、各々の移動通信装置３１０は、コンピュータプログラム３０８により構成されることがあり、制限された区域を示しているいずれかの認可データがメモリに現在記憶されているかどうかを決定する。認可データがメモリに記憶されていないことを、移動通信装置３１０のうちの１つが決定するという場合には、それぞれの移動通信装置３１０は、受信した退出信号を無視するように構成されることがある。これゆえ、多くの事例では、それぞれの車両１０００内のそれぞれの移動通信装置３１０の位置を示している退出要求が必要とされないことがある。このように、いくつかの実施形態では、移動通信装置３１０が退出尺度値を設定することを可能にするために、１つの出口送信機だけが必要とされることがある。しかしながら、いくつかの状況では、制限された区域への出入りを別々に承認されている２つの別々の移動通信装置３１０の利用者は、同じ車両１０００で一緒に駐車場を両者とも出ている。この事例では、退出要求の位置データが、出入制御処理システム３１２により使用されることがあり、多数の退出要求間を区別してどの利用者のアカウントの駐車期間が関係するはずであるかを決定する。
【００７２】
[0087]移動通信装置３１０は、関係するオペレーティングシステムの位置サービス及び領域モニタリングを使用するように好ましくは構成される。特に、１つ又は複数の地理的領域が、移動通信装置３１０のオペレーティングシステムとともに登録される、ここでは、各々の登録された地理的領域は、それぞれの駐車場に関する地理的境界を画定する。境界は、それぞれの駐車場の点から事前に規定された半径（例えば、５００メートル）であってもよい。コンピュータプログラム３０８により登録されている各々の地理的領域は、駐車場の通信システム３０６の通信装置３３０、３３２、３３４、３３６、３５０、３５２、３５４、３５６に関係する送信領域（ビーコン領域とも呼ばれる）のリストを持っている。移動通信装置３１０がそれぞれの駐車場に関係する画定された地理的境界を横切るときに、移動通信装置３１０は、オペレーティングシステムの位置サービスを使用して領域横断イベントを決定するように構成される。移動通信装置３１０が、移動通信装置３１０が位置サービスに基づいて画定された地理的領域に入ると決定すると、コンピュータプログラム３０８がオペレーティングシステムの背景環境にまだロードされていない場合には、コンピュータプログラム３０８は、オペレーティングシステムの背景環境で起動される。移動通信装置３１０は、それぞれの通信システム３０６の通信装置３３０、３３２、３３４、３３６、３５０、３５２、３５４、３５６に関係する登録された送信領域（ビーコン領域とも呼ばれる）のうちの１つ又は複数に関係する送信された入場信号又は退出信号を待つように構成される。
【００７３】
[0088]入口点マイクロコントローラ３３８は、データケーブル３３４を介してチケット発券機３１４への接続のためのデータポートを含む。同様に、出口点マイクロコントローラ３５８は、データケーブル３３８を介してチケット受領機３１６への接続のためのデータポートをやはり含む。各データポートは、シリアルケーブル３３４、３３８を介してチケット発券機／受領機３１４、３１６のシリアルポートに接続するシリアルポートであってもよい。他のタイプのデータケーブル及びデータポートが使用されてもよいことが認識されるであろう。認識されるであろうように、チケット発券機３１４及びチケット受領機３１６は、それぞれチケットを発券するため及び読み取るためのコントローラを含む。
【００７４】
[0089]チケット発券機３１４に関して、第２の入口通信装置３３６は、受信した入場要求に基づいてデータケーブル３３４を介してチケット発券機３１４へデータを転送する。チケット発券機へ転送されたデータは、入場要求及び加えて利用者がシステム３０２の登録された利用者でありその結果物理的なチケットがチケット発券機３１４により発行される必要がないことを示しているフラッグ又はマーカを示すこと又は含むことができる。チケット発券機３１４は、ローカルコンピュータネットワークを介して出入制御処理システム３１２へ入場要求を転送する。出入制御システムは、データストア３４０に記憶されたデータに基づいて又はサーバ処理システム３４０及びデータストア３４２により実行される決定に基づいて、出入りが承認されるべきであるかどうかを次いで決定できる。出入りが利用者に対して承認されるべきであるという良好な決定を受けて、出入制御処理システム３１２又はサーバ処理システム３４０は、呼応して認可データを作成する。認可データは、出入制御処理システム３１２からチケット発券機３１４へ次いで転送され、チケット発券機３１４は、データケーブル３３４を介して入口点マイクロコントローラ３３８へ認可データを次いで転送する。入口点マイクロコントローラ３３８は、移動通信装置３１０のメモリに認可データを記憶するように構成されている移動通信装置３１０へ認可データを、第２の入口通信装置３３６を介して次いで無線で転送する。認可データを作成／受信すると、出入制御処理システム３１２は、入口点のところの入口ブームゲートアセンブリ３１８へ入口作動コマンドを転送し、その結果、入口ブームゲートは開位置まで作動して、利用者が駐車場へと自身の車両を運転することを可能にする。特定の形態では、入口ブームゲートアセンブリ３１８は、入場車両検出システム３２２に電気的につなげられており、そこでは、車両が入口ブームゲートアセンブリのところに存在していることを示している入場車両検出システム３２２からの電気信号を受信することと組合せて入口作動コマンドを受信することに応じて、ブームゲートアセンブリ３１８は開位置まで作動するだけである。１つの特定の形態では、入場車両検出システム３２２は、ループ検出器等の形態で設けられてもよい。
【００７５】
[0090]出口点のところに設置されたチケット読取り機３１６に関して、第２の出口通信装置３５６は、データケーブル３３８を介してチケット読取り機３１６へ移動通信装置３１０から受信した退出要求を転送する。退出要求は、移動通信装置３１０のメモリに記憶されている受信した認可データを示している。いくつかの実施形態では、認可データは、磁気ストライプに記憶された典型的なチケットデータ又は従前からの駐車チケットのエンコードされたデータを含むことができることが認識されるであろう。しかしながら、様々な実施形態に関連して論じられるであろうように、認可データは、追加情報を含むことができる。退出要求は、コンピュータネットワークを介して出入制御処理システム３１２へ次いで転送される。認可データは、いくつかの構成ではサーバ処理システム３４０へ転送中であってもよい。出入制御処理システム３１２又はサーバ処理システム３４０は、利用者が駐車場から去ることを許されているかどうかを、認可データを示している受信した退出要求に基づいて決定する。肯定的な決定を受けて、出入制御処理システム３１２又はサーバ処理システム３４０は、データストア３４４又はデータストア３４２に退出時刻を記録し、そして出入制御処理システム３１２は、チケット読取り機３１６を介して出口点のところの出口ブームゲートアセンブリ３２０へ出口作動コマンドを転送する。出口ブームゲートアセンブリ３２０は、開位置まで次いで作動され、利用者が駐車場の外へ自身の車両を運転することを可能にする。
【００７６】
[0091]図３に示したようにそして既に述べたように、システム３０２は、出入制御処理システム３１２とデータ通信しているサーバ処理システム３４０をやはり含んでいる。サーバ処理システム３４０は、１つ又は複数のサーバコンピュータプログラムにより構成されることがある。サーバ処理システム３４０は、システム３０２の登録された利用者に関するエンティティレコードを含んでいるデータベースの形態で設けられたデータストア３４２を含む又はデータストア３４２にアクセスしてもよい。利用者は、サーバ処理システム３４０に関係するウェブサーバによりホストされるウェブサイトを介して又は移動通信装置３１０上で実行されるコンピュータプログラム３０８を介してシステム３０２を使用することを登録してもよい。
【００７７】
[0092]良好な利用者登録で、サーバ処理システム３４０は、利用者を移動通信装置３１０に結び付ける装置固有のデータをサーバデータベース３４２に記憶する。装置固有のデータは、移動通信装置３１０のＭＡＣアドレス及び装置タイプデータを含むことができる。サーバデータベース３４２に記憶された利用者レコードは、利用者アイデンティティを追加で含む。利用者アイデンティティは、移動通信装置３１０のメモリに記憶するために移動通信装置３１０へ転送されることがある。或いは、利用者アイデンティティは、利用者に提示されることがあり、その結果、利用者アイデンティティはコンピュータプログラム３０８との将来の対話において必要なときに入力されることがある。
【００７８】
[0093]データストア３４２の各利用者レコードは、駐車場の出入制御システム３０４により生じる駐車料金を受けてサーバ処理システム３４０により引き落とされることがある金融口座を示している金融データを加えて含む。特に、一旦、利用者が駐車場を離れると、出入制御処理システム３１２は、インターネットのようなワイドエリアネットワーク（ＷＡＮ）などの通信ネットワークを介してサーバ処理システム３４０へ転送される電子請求書を作成する。サーバ処理システム３４０は、請求された額にしたがって対応する利用者の口座から次いで自動的に引き落とす。サービス料金は、利用者の口座にシステム３０２の管理者により追加で請求されることがある。
【００７９】
[0094]システム３０２を使用するための良好な利用者登録で、サーバ処理システム３４０は、その利用者に関する利用者レコードに関係するキーデータを加えて作成する。キーデータは、サーバデータベース３４２に記憶される。加えて、キーデータは、通信ネットワークを介して移動通信装置３１０へ転送され、ここでは、移動通信装置３１０は、メモリにキーデータを記憶する。キーデータは、キー対を含み、ここで各々のキー対は、シングルユース入場キー及び対応するシングルユース退出キーを含む。移動通信装置３１０は、利用者に関係する入場キーのうちの１つ含むように入場要求を作成する。出入制御処理システム３１２は、出入制御処理システム３１２へアクセス可能な登録されたエンティティデータベース３４４に問い合わせて、示された入場キーが有効であるかどうかを決定する。移動通信装置３１０は、利用者に関係している対応する退出キーを含むように退出要求をやはり作成する。出入制御処理システム３１２は、登録されたエンティティデータベース３４４に問い合わせて、示された退出キーが有効であるかどうかを決定する。定期的に、サーバ処理システム３４０は、新しいキーデータ及び新しい利用者アイデンティティを用いて登録されたエンティティデータベース３４４に記憶されたデータを更新して、出入制御処理システム３１２が受信した入場要求及び退出要求の有効性を検証することを可能にする。
【００８０】
[0095]入口通信システム３２４が入場要求を受信すると、入場要求は、利用者アイデンティティ及びハッシュした利用者アイデンティティをやはり示すことができる。移動通信装置３１０のコンピュータプログラム３０８は、メモリから又は利用者入力を介して利用者アイデンティティを得るように、そして移動通信装置３１０のＭＡＣアドレス及び装置タイプなどの移動通信装置３１０に関係する装置特有の情報を使用して利用者アイデンティティをハッシュするように構成される。入場要求は、登録されたエンティティデータベース３４４を使用して検証のために出入制御システム３０４へ転送される。登録されたエンティティデータベース３４４は、各々が、それぞれの利用者アイデンティティ、それぞれの利用者の移動通信装置３１０に関する装置特有の情報、及びそれぞれの利用者に関係するキー対を各々が含んでいる利用者レコードを中に記憶する。出入制御処理システム３１２は、装置特有の情報を使用して利用者アイデンティティに同じハッシング機能を実行し、入場要求により示されている受信されたハッシュした利用者アイデンティティに対して作成されたハッシュした利用者アイデンティティを比較する。出入制御処理システム３１２は、入場キーが受信した利用者アイデンティティにより示されているそれぞれの利用者と関係するかどうかをやはり決定する。良好な比較を受けて、受信した入場要求が有効であり、移動通信装置３１０へ向けて結局は転送されるチケット発券機３１４への転送のための認可データを作成することを、出入制御処理システム３１２は決定する。この確認プロセスが出入制御処理システム３１２により実行されるとして説明されてきたが、サーバ処理システム３４０にとってこの確認プロセスを実行することが代わりに可能である。受信した入場要求が比較の結果に基づいて有効でないことを出入制御処理システム３１２又はサーバ処理システム３４０が決定するという場合には、出入制御処理システム３１２は、正常動作により物理的なチケットを発行するチケット発券機３１４へ異常信号を転送して戻す。良好な検証が出入制御処理システム３１２により決定されると、出入制御処理システム３１２は、登録されたエンティティデータベース３４４を更新して、受信した入場キーが使用されており、その結果、これらのそれぞれの入場キーは、もはや再び使用できないことを示す。
【００８１】
[0096]出口通信システム３２６が退出要求を受信すると、退出要求は、駐車場に入るときに以前に提示した入場キーに対応する退出キー、利用者アイデンティティ及びハッシュした利用者アイデンティティを示すことができる。出入制御処理システム３１２は、上に説明したような同じハッシングプロセス及び比較を実行できる。加えて、出入制御処理システム３１２は、退出キーがデータベースの利用者と関係するかどうか、そしてやはり退出キーが駐車場に入るときに以前に提示した入場キーに対応するかどうかをやはり決定できる。代替の設備では、サーバ処理システム３４０は、この確認プロセスを実行できる。良好な比較を受けて、出入制御処理システム３１２は、受信した退出要求が有効であり、そして出口ブームゲートアセンブリ３２０を開くことを作動させるためにチケット読取り機３１６へ出口作動コマンドを転送して戻して、利用者が駐車場から外へ自身の車両を出すことを可能にすることを決定する又は示しているデータを受信する。
【００８２】
[0097]キー対の１回使用の性質のために、コンピュータプログラム３０８の制御下にある移動通信装置３１０は、サーバ処理システム３４０にキー対補充要求を発行でき、キー対補充要求は通信ネットワークを介して転送され、ここではサーバ処理システム３４０が、記憶のために移動通信装置３１０へその後に転送して戻される複数の新しいキー対を作成する。キー対補充要求は、キー対のしきい値限界に達したときにコンピュータプログラム３０８により自動的に転送されることがある。或いは、キー対補充要求は、コンピュータプログラム３０８との利用者対話を介して送られることがある。発行されたキー対のコピーは、サーバ処理システム３４０のサーバデータベース３４２にやはり記憶される。加えて、新しいキー対のコピーは、出入制御処理システム３１２によりアクセス可能な登録されたエンティティデータベース３４４に更新される。入場キー又は退出キーが入場要求又は退出要求に対して使用される毎に、移動通信装置３１０は、キー対にフラッグを付ける若しくはマークを付ける、又は代替で、１回使用したそれぞれのキー対を滅却し、その結果、そのキー対はもう再使用されない。
【００８３】
[0098]特定の実施形態では、コンピュータプログラム３０８は、移動通信装置３１０を制御して、移動通信装置３１０が現在接続されている１つ又は複数の無線装置を示すことになる入場要求及び退出要求を作成する。通信システム３０６が多数の移動通信装置３１０から実質的に同時に入場要求又は退出要求を示しているデータを受信するという場合には、通信システム３０６は、入場要求又は退出要求により示されたような１つ又は複数の接続された無線装置を示しているデータを使用でき、どの利用者のアカウントが駐車期間に関係するかを決定する。特に、移動通信装置３１０の入場要求又は退出要求は、車両のハンズフリー通信システム又はＢｌｕｅｔｏｏｔｈヘッドセットなどの別の装置であるはずであるハンズフリー通信システムに接続される特定の移動通信装置３１０を示していることがある。実効的に、他の無線装置に接続されている移動通信装置３１０は、他の移動通信装置３１０よりも優先権を有すると考えられ、したがって、この移動通信装置３１０から受信される入場要求は、駐車期間がそれぞれの利用者のアカウントに関係するように処理されるはずである。
【００８４】
[0099]加えて又は代替で、コンピュータプログラム３０８は、移動通信装置３１０を制御して、第３又は第４の入場信号又は退出信号の受信信号強度又はスケーリングしたパワー値に基づいて車両内の移動通信装置３１０の相対的な位置を示すことになる入場要求及び退出要求を作成する。特に、駐車場に関する通信システム３０６の構成を示しているローカルメモリ構成データに記憶されている移動通信装置３１０に起因して、第３及び第４の入場信号又は退出信号に関する受信信号強度又はスケーリングしたパワー値は、移動通信装置３１０が車両１０００の左側又は右側に設置されているかどうかを示すことができる。例えば、図１２を参照すると、第１の入口通信装置３３４（線１２３０）、第２の入口通信装置３３６（線１２４０）、車両通路の左側に載置されている第１の入口送信機３３０（線１２２０）、及び車両通路の右側に載置されている第２の入口送信機３３２（線１２１０）からの受信入場信号に基づいて移動通信装置３１０により作成されるスケーリングしたパワー値のプロットが示されている。この例では、車両通路の右側に載置された第２の入口送信機３３２は、図１２ではより大きくスケーリングしたパワー値を有し、ここではコンピュータプログラムは、移動通信装置３１０を車両の右側を示している側方データを含む入場要求を作成するように構成する。通信システム３０６が多数の移動通信装置３１０から実質的に同時に出入要求又は退出要求を受信するという場合には、出入制御処理システム３１２は、移動通信装置３１０の相対的な位置を使用することができ、どの利用者のアカウントが駐車期間に関係するかを決定する。１つの形態ではそして運転者が車両の右手側に位置する国では、優先権が、車両の右側の相対的な位置を示している入場要求及び退出要求に与えられる。運転者が車両の左側に位置する国では、優先権が、左位置を示している入場要求又は退出要求に与えられることが認識されるであろう。
【００８５】
[00100]もう１つの形態では、移動通信装置３１０は、入場信号又は退出信号に関係する１つ又は複数のタイムスタンプを示すことになる入場要求及び退出要求を作成し、ここでは１つ又は複数のタイムスタンプは、利用者が車両の前又は後ろに位置するかどうかを決定するための手段として使用されることがある。利用者が車両の左側又は右側に位置するかどうかについての情報とともにこの情報は、移動通信装置３１０が設置されている車両の四分区画を示すために使用されてもよい。例えば、四分区画は、前方左、前方右、後方左及び後方右を含むことができる。出入制御処理システム３１２は、四分区画を使用できて、どの移動通信装置３１０が車両の運転者と関係付けられそうであるかを決定する。例えば、運転者が車両の前方右部分に座っている国では、出入制御処理システムは、車両内の前方右の相対的な位置を示している移動通信装置３１０から受信される入場要求に優先権を与える。
【００８６】
[00101]ある種の状況では、実質的に同時の入場要求が同じ車両１０００から受信されるときに、どの移動通信装置３１０が駐車期間と関係付けられるべきかが明確でないことがある。結果として、仮の認可データが、実質的に同時の入場要求に関係する移動通信装置３１０に発行されることがある。確認通知は、各々の移動通信装置３１０へサーバ処理システム３４０により次いで転送されることがある。コンピュータプログラム３０８により提示される受信された確認通知は、どの移動通信装置３１０が駐車期間と関係付けられるべきであるかについての利用者確認を要求する。それぞれの移動通信装置３１０が駐車期間と関係付けられるべきであるかを示している確認通知に移動通信装置３１０のうちの１つの利用者が応答することを受けて、サーバ処理システム及び／又は出入制御処理システム３１２は、（１つ又は複数の）データストア３４２、３４４に記憶されているデータを更新する。出入制御処理システム３１２及び／又はサーバ処理システム３４０は、仮の認可データを置き換える認可データを作成し、この認可データは、メモリに記憶するために確認している移動通信装置３１０へその後転送される。
【００８７】
[00102]１つの形態では、駐車場は、利用者の駐車を有効にすることを提供する様々な商業用の専門店、小売店及び施設に関係することがある。例えば、駐車場に関係する映画館は、顧客のチケットを有効にすることができ、その結果、顧客が駐車のために支払う必要がないことが普通である。この点について、移動通信装置３１０は、コンピュータプログラム３０８の制御下で動作されることがあり、駐車確認コードを取得し、出入制御システム３０４により処理するために出口通信装置３２６へ確認コードを示している認可データを転送する。特に、領収書が、駐車場に関係する仕事の顧客である利用者に発行されることがあり、ここでは領収書がバーコード又はＱＲコード（登録商標）などの機械読取り可能な証印を含むことができる。コンピュータプログラム３０８は、駐車確認コードを決定するためにその後に解釈される機械読取り可能な証印の写真を利用者が取り込むことを可能にする。駐車確認コードは、既に記憶されている認可データと組合せられることが可能であり、その結果、駐車場の出口点に近づくことで、認可データが出口通信装置３２６へ転送されるときに、出入制御システム３０４は、確認コードにしたがってチケットを処理できる。
【００８８】
[00103]システム３０２は、駐車場の全体にわたり設置されている複数の駐車場通信装置３４６を追加で含むことができる。各々の駐車場通信装置３４６は、通信装置３４６の同報通信の近接範囲内の移動通信装置３１０によって受信されることが可能なナビゲーション情報を同報通信でき、ナビゲーション情報を利用者に提示できる。１つの形態では、ナビゲーション情報は、聞こえるように提示されてもよい。
【００８９】
[00104]図４を参照すると、車両駐車場のシステム３０２及び出入制御システム３０４の様々な構成機器により実行される方法を表している流れ図が示されている。
【００９０】
[00105]特に、ステップ４０５において、方法４００は、移動通信装置が境界横断イベントを検出することを含む。移動通信装置は、検出した境界横断イベントに応じて通信システム３０６の登録された送信領域のリストを監視し始める。加えて、コンピュータプログラムがまだ起動されていないという場合には、コンピュータプログラム３０８は、移動通信装置３１０のオペレーティングシステムの背景環境で起動される。
【００９１】
[00106]利用者が車両駐車場の入口点に近づくと、方法４００のステップ４１０は、コンピュータプログラム３０８の制御下の移動通信装置３１０が監視されている領域に関係する通信システム３０６の入口通信システム３２４から入場信号を受信することを含む。
【００９２】
[00107]ステップ４１２において、方法は、移動通信装置が入口通信システム３２４の入口通信装置のうちの１つの検出したピークパワー値に基づいて、入場尺度値を決定して、受信した入場信号のパワー値をスケーリングすることを含む。
【００９３】
[00108]ステップ４１５において、方法４００は、移動通信装置３１０が第２の入口通信装置３３６へ、１つ又は複数の入場基準を満足している１つ又は複数の受信した入場信号に応じて入場要求を作成し且つ転送することを含む。好ましい形態では、入場要求は、利用者の介在なしに（すなわち、利用者が移動通信装置を持つことなく且つ移動通信装置を動作させることなく）自動化された方式で作成され且つ転送される。
【００９４】
[00109]ステップ４２０において、方法は、第２の入口通信装置３３６がチケット発券機３１４を介して出入制御システム３０４へ受信した入場要求を転送することを含む。より具体的に、入口通信装置３３６は、データケーブルを介してチケット発券機３１４と通信する。チケット発券機３１４は、ローカルエリアネットワーク（ＬＡＮ）などのコンピュータネットワークを介して出入制御処理システム３１２へ入場要求を次いで転送する。
【００９５】
[00110]ステップ４２５において、方法４００は、第２の入口通信装置３３６がチケット発券機を介して出入制御システム３０４により作成された認可データを受信することを含む。特に、出入制御処理システム３１２は、コンピュータネットワークを介してチケット発券機３１４へ転送される認可データを作成し、入口点マイクロコントローラ３３８の第２の入口通信装置３３６へ及び相互接続しているデータケーブル３３８へ認可データを順に転送する。認可データは、出入制御処理システム３１２によりアクセス可能なデータベース３４４に記憶される。
【００９６】
[00111]ステップ４３０において、方法４００は、第２の入口通信装置３３６が仮想チケットの形態として移動通信装置３１０のメモリに記憶するために利用者の移動通信装置３１０へ認可データを無線で転送することを含む。
【００９７】
[00112]ステップ４３５において、方法４００は、出入制御処理システム３１２がチケット発券機３１４に指示して、開位置まで移動するように入口ブームゲートアセンブリ３１８を作動させることを含む。
【００９８】
[00113]利用者が車両駐車場の出口点に近づくと、方法４００のステップ４４０は、コンピュータプログラム３０８の制御下の移動通信装置３１０が監視されている領域に関係する通信システム３０６の出口通信装置のうちの少なくともいくつかから退出信号を受信することを含む。
【００９９】
[00114]ステップ４４２において、方法は、移動通信装置が出口通信システム３２６の通信装置のうちの１つの検出したピークパワー値に基づいて、退出尺度値を決定して、受信した退出信号のパワー値をスケーリングすることを含む。
【０１００】
[00115]ステップ４４５において、方法４００は、利用者の移動通信装置３１０が１つ又は複数の退出基準を満足している１つ又は複数の受信した退出信号に応じて出口通信システム３２６へ認可データを示している退出要求を転送することを含む。好ましい形態では、退出要求は、利用者の介在なしに（すなわち、利用者が移動通信装置を持つことなく且つ移動通信装置を動作させることなく）自動化された方式で作成され且つ転送される。退出要求は、この例では少なくとも認可データを示している。
【０１０１】
[00116]ステップ４５０において、方法４００は、第２の出口通信装置３５６が出入制御処理システム３１２及びチケット読取り機３１６へ退出要求を転送することを含む。特に、出口点マイクロコントローラ３５８の第２の出口通信装置３２６は、データケーブル３３８を介してチケット読取り機３１６へ退出要求を転送する。チケット読取り機３１６は、ＬＡＮを介して出入制御処理システム３１２へ退出要求を次いで転送する。
【０１０２】
[00117]ステップ４５５において、方法４００は、出入制御処理システム３１２がチケット読取り機３１６へ出口作動コマンドを転送すること、その結果、出口ブームゲートアセンブリ３２０が開いて、利用者が車両駐車場の出口点の外へ自身の車両を運転することを可能にすることを含む。
【０１０３】
[00118]移動通信装置３１０上で実行しているコンピュータプログラム３０８は、利用者に様々な情報を提示することができる又は利用者が実行されるはずの様々な機能を要求することを可能にするユーザインターフェースを表示するために利用者によって開かれることがある。例えば、利用者は、認可データの一部として記憶される駐車場への入場時間に関する情報を提示されることがある。さらに、駐車場に駐車したままにするために利用可能な時間の長さの仮の指示が、提示されることがある。加えて、利用者は、別の登録された利用者へ認可データを転送でき、ここでは、認可データがサーバ処理システム３４０へ転送され、指定された登録利用者に関係するもう１つの移動通信装置３１０へ中継される。加えて、サーバ処理システム３４０は、出入制御処理システム３１２への転送を伝達し、その結果、異なるキーデータが退出要求を認証するときに使用される。
【０１０４】
[00119]さらに、利用者は、代わりの金融口座を通して駐車料金の支払いをコンピュータプログラム３０８介して要求できる。加えて、利用者は、取引履歴を見直すことができる。さらに、利用者は、タグ（すなわち、作業費用、個人的費用、等）を用いて特定の取引にタグを付けることができる。加えて、利用者は、コンピュータプログラム３０８を介して物理的なチケットの印刷を要求でき、ここでは、駐車場に付随するチケット支払機のところで利用者により入力されることが可能なコードが作成され、その結果、認可データと関係付けられている物理的なチケットが印刷される。さらに、コンピュータプログラム３０８が、再び有効にされるまで入場要求及び退出要求を作成することを無効にされることを、利用者は要求できる。多数の移動通信装置３１０が車両に設置されているという場合には、正しい移動通信装置３１０が認可データを発行されることを確実にするために、この機能が選択されることがある。
【０１０５】
[00120]特定の実施形態では、利用者は、コンピュータプログラム３０８と対話してもよく、駐車場に自動車の駐車について予約をする。移動通信装置３１０は、サーバ処理システム３４０と通信して予約をする。サーバ処理システムは、選択した駐車場の出入制御システムに予約がされていることを示しているマーカデータを提供する。入場要求が移動通信装置３１０によって作成されるとき、入場要求は、マーカを示している。出入制御処理システム３１２は、このマーカを使用できて、サーバ処理システム３４０へ送られる最終的な請求書を計算できる。類似のマーカが、様々なタイプの料金に対してサーバ処理システム３４０からコンピュータプログラム３０８を介して要求されることがあることが認識されるであろう。
【０１０６】
[00121]任意選択の形態では、車両１０００内に恒久的に固定されている代わりの移動通信装置が、利用されることがある。例えば、移動通信装置は、車両と恒久的に関係付けられているマイクロコントローラの形態で与えられてもよい。
【０１０７】
[00122]多数の移動通信装置を使用している多数の利用者がシステム３０２を使用するように登録されてもよいことが上の説明から認識されるであろう。加えて、移動通信装置３１０が多数の制限された区域（すなわち、多数の駐車場）に対して使用されてもよいことが認識されるであろう。多数の駐車場がシステム３０２を使用するために改造されてもよいことがやはり認識されるであろう。
【０１０８】
[00123]ある種の設備では、利用者が制限された区域に入る又は出ることを可能にするためにブームゲートを動作させることが必ずしも必要でなくてもよいことが認識されるであろう。しかしながら、この設備では、各々の出入点のところに、作動させることが可能な電灯などのフィードバック装置を含み、移動通信装置３１０と出入制御システム３０４との間の良好な通信を示すことがシステムにとって好ましいことであり得る。例えば、システムは、近づいてくる車両の移動通信装置３１０が認可データを発行されていないときには赤色灯を表示するために作動させることが可能な入口電灯を含むことがある。認可データが良好に送信されると、入口電灯が作動されることが可能であり、緑色灯を表示する。同様に、出口電灯が設けられることがあり、認可データが移動通信装置３１０から良好に受信され処理されていることを示すために作動されることがある。
【０１０９】
[00124]移動通信装置の様々な製造者を補正するために、通信システム３０６が出入点のところに複数の通信装置を含むように構成されることが可能であることが認識されるであろう。これは、第２の通信装置から受信する信号を次いでスケーリングして、しきい値のスケーリングしたパワー増加率が入場要求／退出要求を作成させることを満足している又は超えているかどうかを決定するために、尺度値が通信装置のうちの１つに基づいて決定されることを以て可能にする。これゆえ、以前の例で説明したような４つの通信装置よりも２つの通信装置だけを含むようにシステムを実装することが可能である。例えば、移動通信装置３１０の相対的な位置が必ずしも必要でない場合には、尺度値の決定を可能にするために、出入点に近づくときに移動通信装置３１０へ第１の無線信号を送信する入口／出口送信機（例えば、ビーコン）の形態で設けられた第１の通信装置、及び移動通信装置が出入点アセンブリの実質的に近くに位置し、入場／退出要求が適切な時間に送信されることが可能であるように、スケーリングしたパワー値の増加率に基づいて移動通信装置が決定することを可能にするために、出入点アセンブリ（すなわち、ブームゲート）のより近くに位置する第２の通信装置（例えば、入口／出口通信装置３３６、３５６又は３３４、３５４）を、システム３００が含むように実装することが可能であるはずである。或いは、送信機が使用できない状況では、第１の入口／出口通信装置３３４、３５４から受信された無線信号が尺度値を決定するために使用されるはずであり、第２の入口／出口通信装置３３６、３５６から受信された無線信号から導かれるスケーリングしたパワー値は、入場／退出要求がいつ送信されるべきかを決定するために使用されるはずである。
【０１１０】
[00125]いくつかの実施形態では、制限された区域に出入りするために出入制御システムの複数の利用者により使用される複数の移動通信装置に関する無線受信特性の広いスペクトルを制限することが可能であってもよい（すなわち、従業員駐車場を使用する事業主の従業員全員に、同じタイプの移動通信装置が支給されることがある）。これゆえ、受信されたパワーのスケーリングが、必ずしも必要でないことがある。これらの環境では、各出入点のところで１つの通信装置を使用すること及び入場／退出要求がいつ発行されるべきかを決定するために入場／退出信号のパワーの増加率を解析することが可能である。
【０１１１】
[00126]車両１０００が制限された区域の入口点又は出口点に近づき、多数の移動通信装置が車両１０００内にあるという実施形態では、どの１つの移動通信装置が入場要求又は退出要求を送るべきかを各々の移動通信装置が決定するために、各々の移動通信装置３１０は、車両１０００内の残りの移動通信装置３１０と通信できる。この構成は、多数の入場要求又は退出要求が転送されることを回避する。１つの形態では、多数の移動通信装置３１０は、Ｂｌｕｅｔｏｏｔｈ  Ｌｏｗ  Ｅｎｅｒｇｙなどの短距離無線通信を使用して相互にローカルに通信できる。多数の移動通信装置３１０が通信システム３０６から入場信号又は退出信号を受信するために使用されない代わりの無線通信装置を含んでいるいくつかの状況では、多数の移動通信装置３１０は、ハンドシェイキングプロセスを実行するであろうし、代わりの無線通信プロトコルを使用して通信するであろう。かなりの処理負荷が移動通信装置のＢｌｕｅｔｏｏｔｈ通信装置によって既に取り扱われていてもよいことを考えると、これが有利なことがある。例えば、各々の移動通信装置がＮＦＣ（Ｎｅａｒ  Ｆｉｅｌｄ  Ｃｏｍｍｕｎｉｃａｔｉｏｎ）を使用して通信できることを、ハンドシェイキングプロセス（これは初めにＢｌｕｅｔｏｏｔｈを使用して行われてもよい）が決定することがある。車両１０００内の移動通信装置３１０間の無線通信は、移動通信装置３１０のＮＦＣ装置を使用して次いで行われることが可能である。各々の移動通信装置は、受信される入場信号又は退出信号に関するデータを無線で送信できる。例えば、通信されるデータは、特定の入場信号又は退出信号がいつ受信されるかのタイムスタンプ、受信される入場信号又は退出信号のスケーリングしたパワー値、受信される信号の未処理パワー値及び／又は受信される信号の受信信号強度を含むことができる。各々の移動通信装置３１０は、他の移動通信装置３１０から受信されたデータ並びにそれぞれの移動通信装置３１０によって受信された入場信号及び退出信号に基づいて、それぞれの移動通信装置３１０が運転者と関係するかどうかを決定するように、コンピュータプログラム３０８により構成される。同じ解析が各々の移動通信装置３１０で行われるはずであるので、その後に入場要求又は退出要求を発行するように構成されている移動通信装置が運転者と関係することを、移動通信装置のうちの１つだけが決定するであろう。
【０１１２】
[00127]Ｂｌｕｅｔｏｏｔｈ  Ｌｏｗ  Ｅｎｅｒｇｙを利用する通信装置にとって、入場信号及び退出信号は、それぞれの通信装置の（汎用一意識別子などの）固有の装置アイデンティティを含むことができるＢＬＥ提供情報であってもよいことが認識されるであろう。
【０１１３】
[00128]移動通信装置３１０が第２の入口通信装置又は第２の出口通信装置３３６、３５６へ入場要求又は退出要求を送信しようとしている以前の例では、通信は、Ｂｌｕｅｔｏｏｔｈ  Ｌｏｗ  Ｅｎｅｒｇｙを利用して行われることがある。１つの実施形態では、移動通信装置３１０は、入場要求又は退出要求を送信するときに入口点／出口点マイクロコントローラ３３８、３５８につなげられた／一体化された第２の通信装置３３６、３５６と通信セッションを確立しようとする。一般に、通信セッションは匿名接続であり、ここでは第２の通信装置３３６、３５６が任意の特定の時間に１つの通信セッションを行うことができるだけである。一旦、入口／出口出入アセンブリ（例えば、ブームゲート）３１８、３２０が起動されて、利用者が制限された区域に入ること又は出ることを認められると、移動通信装置３１０は圏外へ動き、その結果第２の入口通信装置又は第２の出口通信装置３３６、３５６は、自由であり、入場／退出待ち行列の次の車両１０００の移動通信装置３１０と新しい通信接続を確立するので、通信セッションは最終的に終了する。
【０１１４】
[00129]いくつかの事例では、入口点／出口点アセンブリ３１８、３２０を通過した車両１０００の移動通信装置３１０は、入場／退出待ち行列の次の車両に設置されている別の移動通信装置３１０が入場／退出要求を転送しようとする時点と重なる長時間にわたり無線通信セッションを維持することが可能である。この状況では、次の車両１０００の移動通信装置３１０は、前の車両１０００の移動通信装置３１０との維持されている通信セッションのために接続が利用可能であるとして第２の通信装置３３６、３５６を特定することが不可能であろう。しかしながら、スキャニング操作は、このような事例でフェイルセーフとして動作する通信接続のために利用可能であるとして第１の入口通信装置３３４、３５４を検出するであろう。これゆえ、後者の車両１０００の移動通信装置３１０は、入口点／出口点マイクロコントローラ３３８、３５８へ入場／退出要求をその後に転送する第１の入口／出口通信装置３３４、３５４との通信接続を確立する。入場要求が第１の入口通信装置３３４によって受信されているという場合には、入口点マイクロコントローラ３３８は、第１の入口通信装置３３４へ作成された認可データを転送し、第１の入口通信装置３３４は記憶のために接続されている移動通信装置３１０へ次いで転送する。入口点マイクロコントローラ３３８は、通常通りチケット発券機３１４を介して入口ブームゲートアセンブリ３１８を次いで作動させる。退出要求が第１の出口通信装置３５４によって受信されているという場合には、第１の移動通信装置３１０は、出口点マイクロコントローラ３５８へ認可データを転送し、認可データは、出入制御処理システム３１２により次いで処理される。良好な確認及び処理で、出口点マイクロコントローラ３５８は、チケット読取り機３１６と通信して、出口ブームゲートアセンブリ３２０を作動させる。
【０１１５】
[00130]図１３を参照すると、住居用／商業用駐車区域のための出入制御システム１３０４を使用するためのさらなるシステム１３０２が示されている。明確化の目的で、類似の参照番号が図３と図１３との間で使用されて、同様に機能する類似の部品を識別している。システム１３０２、１３０４は、一緒に動作してシステム１３００を形成している。
【０１１６】
[00131]特に、システム１３０２は、複数の入口通信装置３３０、３３６を含んでいる入口通信システム３２４及び複数の出口通信装置３５０、３５６を含んでいる出口通信システム３２６を含む。一般的であるように、同じ出入点が住居用／商業用駐車区域に入ること及び出ることの両方のために使用され、通信システム３０６は、入口通信装置３３６のうちの少なくとも１つ及び出口通信装置３５６のうちの少なくとも１つと通信している１つの出入点マイクロコントローラ１３３０を含むことができる。出入点マイクロコントローラ１３３０は、出入制御処理システム３１２と通信している。出入制御処理システム３１２は、出入制御型ゲート、シャッター、等などのアセンブリを含むことができる駐車出入アセンブリ１３１８に電気的に接続されている。出入制御処理システム３１２は、データストア３４２へのアクセスを有するサーバ処理システム３４０とやはりデータ通信することがある。あまり洗練されていない出入制御処理システム３１２に関して、サーバ処理システム３４０は、出入制御処理システム３１２とデータ通信しなくてもよいことが認識されるであろう。
【０１１７】
[00132]システム１３０２は、システム３００の動作と類似の方式で動作している。車両の運転者が住居用／商業用駐車区域に入るために出入点に近づくと、入口送信機３３０からの入場信号は、移動通信装置３１０によって受信されることが可能である。入口送信機３３０に関するピークパワー値が、入場尺度値を決定するために使用される。もう１つの入場信号が、入口通信装置３３６から移動通信装置３１０によって受信される。移動通信装置は、上に説明した処理と同じ処理を実行し、ここでは、１つ又は複数の入場基準のうちの少なくともいくつかが満足されているという場合には、移動通信装置３１０は、入場要求を送信し、入場要求は入口点通信装置３３６によって受信され、そして出入点マイクロコントローラ１３３０を介して出入制御処理システム３１２へ転送される。出入制御処理システム３１２は、入場要求が以前に説明したように有効であるかどうかを次に決定する。良好な確認の場合には、出入制御処理システム３１２は、駐車出入アセンブリ１３１８を電気的に制御して、利用者が住居用／商業用駐車区域へと運転することを可能にする。
【０１１８】
[00133]車両の運転者が住居用／商業用駐車区域を出るために出入点に近づくと同様なプロセスが生じ、出口送信機３５０からの退出信号が、移動通信装置３１０によって受信されることがある。出口送信機３５０に関するピークパワー値が、退出尺度値を決定するために使用される。もう１つの退出信号が、出口通信装置３５６から移動通信装置３１０によって受信される。移動通信装置は、上に説明した処理と同じ処理を実行し、ここでは、１つ又は複数の退出基準のうちの少なくともいくつかが満足されているという場合には、移動通信装置３１０は、退出要求を送信し、退出要求は出口点通信装置３５６によって受信され、そして出入点マイクロコントローラ１３３０を介して出入制御処理システム３１２へ転送される。出入制御処理システム３１２は、退出要求が有効であるかどうかを次いで決定する。以前に説明したチケットシステムとは異なり、退出要求は、認可データを示すことが必ずしも必要ではないことがあるが、利用者を単に一意的且つ安全に識別して、出入点を通って出ることを可能にする。これゆえ、退出要求は、入場要求と同様に処理されることがある。良好な確認の場合には、出入制御処理システム３１２は、駐車出入アセンブリ１３１８を電気的に制御して、利用者が住居用／商業用駐車区域から運転して出ることを可能にする。
【０１１９】
[00134]システム１３０２がシステム３０２に関して説明したようなチケットに基づくシステムと類似して構成されることがあることが認識されるであろう。さらに、いくつかの住居用／商業用駐車区域では、住居用／商業用駐車区域内への入場が制限されるが、退出要求は、住居用／商業用駐車区域を出るために送信される必要がないことが認識されるであろう。例えば、前に説明したもののような車両検出装置は、車両が住居用／商業用駐車区域を退出しようと望むことを検出するために使用されてもよい。この点に関して、システム１３０２の出口通信システム３２６は、このタイプの設備を必要としない。
【０１２０】
[00135]図１４を参照すると、ビルディングのドア用の出入制御システム１４０４とともに使用するためのシステム１４０２のさらなるシステム図が示されている。システム１４０２及び１４０４は、一緒に動作してシステム１４００を形成している。明確化の目的で、類似の参照番号が図３と図１４との間で使用されて、同様に機能する類似の部品を識別している。特に、システム１４０２は、複数の通信装置３３０、３３６を含んでいる通信システム３０６を含む。通信システム３０６は、通信装置３３０、３３６のうちの少なくとも１つと通信している出入点マイクロコントローラ１３３０をやはり含む。出入点マイクロコントローラ１３３０は、出入制御処理システム３１２と通信している。出入制御処理システム３１２は、ドア施錠出入アセンブリ１４１８に電気的に接続されている。出入制御処理システム３１２は、データストア３４２へのアクセスを有するサーバ処理システム３４０とやはりデータ通信することが可能である。あまり洗練されていない出入制御処理システム３１２に関して、サーバ処理システム３４０は、出入制御処理システム３１２とデータ通信しなくてもよいことが認識されるであろう。システム１４０２は、利用者が第１の方向に出入口を通り進むために入場要求を発行することが必要であるだけであることが認識されるであろうし、ここでは、反対方向に出入口を通り進むときには、ドアは、出入要求を発行せずに開けられてもよい。
【０１２１】
[00136]システム１４０２は、システム３０２の方式と類似の方式で動作している。一般に、利用者は、いくつかの方法で（すなわち、自身のポケットに、自身の手に、等で）移動通信装置３１０を持ち運ぶ。利用者がビルディングの制限された区域に出入りするために入場要求が発行されることを必要とする方向にドアに向かって歩くときには、入口送信機３３０からの入場信号が移動通信装置３１０によって受信されることがある。入口送信機３３０に関するピークパワー値が、入場尺度値を決定するために使用される。もう１つの入場信号が、入口通信装置３３６から移動通信装置３１０によって受信される。移動通信装置３３６は、上に説明した処理と同じ処理を実行し、ここでは、１つ又は複数の入場基準のうちの少なくともいくつかが満足されているという場合には、移動通信装置３１０は、入場要求を送信し、入場要求は通信装置３３６によって受信され、そして出入点マイクロコントローラ１３３０を介して出入制御処理システム３１２へ転送される。出入制御処理システム３１２は、入場要求が有効であるか及び利用者が以前に説明したように認可されているかどうかを次に決定する。良好な確認及び認可の場合には、出入制御処理システム３１２は、ドア施錠アセンブリ１４１８を電気的に制御して、利用者がドアを開き、利用者がビルディングの制限された区域に出入りするために出入口を通り歩くことを可能にする。
【０１２２】
[00137]上に論じたように、移動通信装置３１０は、サーバ処理システム３４０から構成データを受信できる。サーバ処理システム３４０は、クラウドサーバであってもよい。構成データは、１つ又は複数の制限された区域に関係する１つ又は複数の通信システム３０６の構成に関するデータを含むことができる。特に、構成データは、各々の入口通信装置と出口通信装置に関する（汎用一意識別子、ＭＡＣアドレス、等などの）固有の装置アイデンティティ及び制限された区域の関係するアイデンティティ（すなわち、駐車場等のアイデンティティ）、各々の入口通信装置と出口通信装置の送信特性などの較正データ並びに各通信装置が設置されている車両通路の側を含むことができる。コンピュータプログラム３０８は、随時更新された構成データを取得するように移動通信装置３１０を構成できる。構成データは、クラウドサーバ３４０から移動通信装置３１０へプッシュされる又は移動通信装置３１０によりプルされてもよい。これゆえ、特定の通信システム３０６が再構成され、以て制限された区域のための特定の通信システム３０６の様々な送信特性を変えるという場合には、構成データは、クラウドサーバ３４０のところで変えられることがあり、ここでは、各々の移動通信装置３１０は、適時に（例えば、６時間内に）変えられた構成データを取得している。
【０１２３】
[00138]システム３０２、１３０２、１４０２は、移動通信装置３１０がローカル通信システム３０６へ短距離無線通信ネットワークを使用して入場要求／退出要求を送信するので有利である。このように、利用者は、制限された区域に入ること又は出ることを可能にするためにインターネットアクセスを必要としない。しかしながら、システム３０２、１３０２、１４０２に関する変形形態では、入場要求及び退出要求は、処理のためにサーバ処理システム３４０へ、インターネットなどのＷＡＮを介して代わりに転送されることがある。このシステム配置１５０２の例が図１５に示されている。いくつかの制限された区域（例えば、地下駐車場）は、このような構成にとって適切でないことがあることが認識されるであろう。しかしながら、移動通信装置３１０が移動通信サービスを使用してインターネットへアクセスできる適切である区域に関して、サーバ処理システム３４０は、データストア３４２に記憶されたデータに基づいて受信した入場要求又は退出要求を処理し、要求の有効性を決定するように構成されることがある。肯定的な確認を受けて、サーバ処理システム３４０は、出入制御システム１５０４の出入制御処理システム３１２へコマンドを転送でき、それぞれの入口／出口制御アセンブリ３１８、３２０（すなわち、ブームゲート等）を作動させて、利用者が制限された区域に入る又は出ることを可能にする。いくつかの事例では、入口／出口制御アセンブリ３１８／３２０は、より精巧であってもよく、サーバ処理システム３４０から直接的にデータを受信できる。システム１５０２及び１５０４は、一緒に動作してシステム１５００を形成している。
【０１２４】
[00139]以前の例が１つのサーバ処理システム３４０を示している一方で、サーバ処理システムは、多数のサーバ処理システムを含んでいる分散型のサーバ処理システムを含んでもよいことが認識されるであろう。
【０１２５】
[00140]以前の例では、入口点マイクロコントローラ３３８及び出口点マイクロコントローラ３５８が出入制御処理システム３１２へ直接接続されていない（むしろチケット発券機３１４及びチケット読取り機３１６を介して間接的である）一方で、修正されることがシステム３００に関して可能であり、その結果、入口点マイクロコントローラ及び出口点マイクロコントローラがデータケーブル（例えば、ネットワークケーブル）を介してなどの通信媒体を介して出入制御処理システムに直接接続され、その結果、直接通信がそれぞれの処理システム間で行われてもよいように構成されてもよいことが認識されるであろう。
【０１２６】
[00141]上に説明した例では、入場要求又は退出要求が作成され且つ転送されるために、移動通信装置３１０との利用者対話は必要とされていない。しかしながら、これらの例に関する特定の変形形態では、移動通信装置３１０は、コンピュータプログラム３０８により構成されることがあり、入場要求又は退出要求を作成し且つ転送するために移動通信装置のディスプレイを介して提示されるコンピュータプログラムのユーザインターフェースと利用者が対話することが可能である。ある種の例では、利用者が制限された区域に今にも入ろうと又は出ようとしているときに、利用者がインターフェースと単純に対話するので、入場信号及び退出信号の受信信号強度の解析は、不必要である。しかしながら、他の例では、入場信号及び退出信号の受信信号強度の解析が、移動通信装置により使用されることがあり、通常ディスエーブルにされているインターフェースの一部分をイネーブルにすることができる。特に、制限された区域の入口点又は出口点に近づくことの前に、ボタンなどのコンピュータプログラム３０８のインターフェースの一部分がディスエーブルにされる。移動通信装置３１０は、前の例で上に論じたように受信信号強度を解析するようにコンピュータプログラムにより構成される。１つ又は複数の入場基準又は退出基準が満足されていることを移動通信装置３１０が決定すると、コンピュータプログラム３０８は、インターフェースのボタンをイネーブルにし、その結果、利用者はボタンをその後選択できて、入場要求又は退出要求を作成し且つ転送するように移動通信装置に指示する。この構成は、入口点又は出口点のところの待ち行列内の利用者がコンピュータプログラム３０８と対話して、待ち行列の前方に位置する別の利用者が制限された区域に入る又は出ることを実際に可能する入場要求又は退出要求を作成し且つ転送することのリスクを減少させている。
【０１２７】
[00142]発明の範囲内の多くの修正形態が発明の精神から乖離せずに当業者により認識されるであろう。
【図１】
0006772187.tif 000002
【図２】
0006772187.tif 000003
【図３】
0006772187.tif 000004
【図４】
0006772187.tif 000005
【図５】
0006772187.tif 000006
【図６】
0006772187.tif 000007
【図７】
0006772187.tif 000008
【図８】
0006772187.tif 000009
【図９】
0006772187.tif 000010
【図１０Ａ】
0006772187.tif 000011
【図１０Ｂ】
0006772187.tif 000012
【図１０Ｃ】
0006772187.tif 000013
【図１１Ａ】
0006772187.tif 000014
【図１１Ｂ】
0006772187.tif 000015
【図１１Ｃ】
0006772187.tif 000016
【図１２】
0006772187.tif 000017
【図１３】
0006772187.tif 000018
【図１４】
0006772187.tif 000019
【図１５】
0006772187.tif 000020